(57)【要約】【課題】アンテナおよびソーラーパネルを有する電子時計において、ソーラーセルによるアンテナ受信感度の低下を抑制する。【解決手段】電子時計は、文字板と、文字板と重なるように配置されて、誘電体の基材およびアンテナ電極を有するアンテナと、平面視において文字板と重なり、アンテナ電極の外周に沿って連続して配置される第１および第２のソーラーセルが、アンテナ電極の外周に沿って配置されていない第３のソーラーセルを介して直列に接続されるソーラーパネルと、平面視において文字板と重なるように配置される回路基板と、平面視においてアンテナ電極の中心と文字板の中心とを通る第１仮想直線に直交し且つ文字板の中心を通る第２仮想直線によって文字板を２つの領域に分けた場合に、アンテナが配置される領域とは異なる領域に配置され、ソーラーパネルと回路基板とを接続する接続部材とを有する。【選択図】図６
2020098144.tif 000002
【特許請求の範囲】
【請求項１】
文字板と、
前記文字板の表面に対して垂直方向から見た平面視において、前記文字板と重なるように配置され、誘電体の基材と、前記基材の表面に配置されたアンテナ電極と、を有するアンテナと、
前記平面視において、前記文字板と重なるように配置され、前記アンテナ電極の外周に沿って連続して配置される第１および第２のソーラーセルと、前記アンテナ電極の外周との間に前記第１または第２のソーラーセルの少なくとも一方のソーラーセルが位置するように配置される第３のソーラーセルと、を有し、前記第１のソーラーセルが、前記第３のソーラーセルを介して、前記第２のソーラーセルに直列に接続されるソーラーパネルと、
前記平面視において、前記文字板と重なるように配置される回路基板と、
前記平面視において、前記アンテナ電極の中心と前記文字板の中心とを通る第１仮想直線に直交し且つ前記文字板の中心を通る第２仮想直線によって前記文字板を２つの領域に分けた場合に、前記アンテナが配置される領域とは異なる領域に配置され、前記ソーラーパネルと前記回路基板とを接続する接続部材と、を有する電子時計。
【請求項２】
請求項１に記載の電子時計において、
前記アンテナ電極の外周に沿って配置されるソーラーセルは、前記第１および第２のソーラーセルの他に、少なくとも１つ以上のソーラーセルが配置されている電子時計。
【請求項３】
請求項２に記載の電子時計において、
前記アンテナ電極の外周に沿って配置され、かつ、互いに直接接続されたソーラーセルの前記アンテナ電極の外周に沿った外縁の長さ寸法は、前記アンテナの外周長の１／２以下である電子時計。
【請求項４】
請求項１から請求項３のいずれか一項に記載の電子時計において、
前記各ソーラーセルを直列に接続する接続部は、植え字、略字、植えリング、ダイヤルリング、指針の軸のいずれかと、前記平面視で重なる位置に配置されている電子時計。
【請求項５】
請求項１から請求項４のいずれか一項に記載の電子時計において、
前記ソーラーパネルは、前記アンテナに前記平面視で重なるアンテナ被覆部を有し、
前記アンテナ被覆部には、前記アンテナで受信される信号を通過させる信号通過部が形成されている電子時計。
【請求項６】
請求項１から請求項５のいずれか一項に記載の電子時計において、
前記ソーラーパネルは、発電層の有効発電面積が最小のソーラーセルと、発電層の有効発電面積が最大のソーラーセルとの各発電層の有効発電面積の差が予め設定した値以下とされている電子時計。
【請求項７】
請求項１から請求項６のいずれか一項に記載の電子時計において、
前記アンテナはパッチアンテナである電子時計。
【発明の詳細な説明】
【技術分野】
【０００１】
本発明は、アンテナおよびソーラーパネルを有する電子時計に関する。
【背景技術】
【０００２】
円偏波アンテナと、複数のソーラーセルを有するソーラーパネルと、二次電池と、二次電池と電気的に接続される回路基板とを備え、ソーラーパネルと回路基板との接続位置を、円偏波アンテナから離れた位置に配置した電子時計が特許文献１に開示されている。
前記ソーラーパネルは、平面視でほぼ中央部に指針軸を挿通させる貫通孔が設けられ、各ソーラーセルは、貫通孔から放射状に設けられた分割線によって分割されている。また、ソーラーパネルと回路基板との接続位置を円偏波アンテナから離れた位置に配置するため、回路基板の正電極に接続される正電極側のソーラーセルと、負電極に接続される負電極側のソーラーセルとは、円偏波アンテナから離れた位置に配置している。
正電極側のソーラーセルと、負電極側のソーラーセルとは、前記貫通孔の周囲に配置された他のソーラーセルを介して、直列に接続されている。このため、円偏波アンテナの外周に沿って連続して配置される２つのソーラーセルは、直接、直列に接続されている。
【先行技術文献】
【特許文献】
【０００３】
【特許文献１】特開２０１７−１２２７３９号公報
【発明の概要】
【発明が解決しようとする課題】
【０００４】
アンテナの外周に配置されるソーラーセルには、アンテナで発生する電流を打ち消すように電流が誘起される。本発明者は、アンテナの外周に配置されるソーラーセルが直接、直列に接続されていると、これらのソーラーセルを連続して電流が流れるため、アンテナで発生する電流を打ち消す方向に流れる電流が大きくなり、アンテナの受信感度の低下が大きくなるという新たな課題を見出した。
【課題を解決するための手段】
【０００５】
本開示の電子時計は、文字板と、前記文字板の表面に対して垂直方向から見た平面視において、前記文字板と重なるように配置され、誘電体の基材と、前記基材の表面に配置されたアンテナ電極と、を有するアンテナと、前記平面視において、前記文字板と重なるように配置され、前記アンテナ電極の外周に沿って連続して配置される第１および第２のソーラーセルと、前記アンテナ電極の外周との間に前記第１または第２のソーラーセルの少なくとも一方のソーラーセルが位置するように配置される第３のソーラーセルと、を有し、前記第１のソーラーセルが、前記第３のソーラーセルを介して、前記第２のソーラーセルに直列に接続されるソーラーパネルと、前記平面視において、前記文字板と重なるように配置される回路基板と、前記平面視において、前記アンテナ電極の中心と前記文字板の中心とを通る第１仮想直線に直交し且つ前記文字板の中心を通る第２仮想直線によって前記文字板を２つの領域に分けた場合に、前記アンテナが配置される領域とは異なる領域に配置され、前記ソーラーパネルと前記回路基板とを接続する接続部材と、を有する。
【０００６】
本開示の電子時計において、前記アンテナ電極の外周に沿って配置されるソーラーセルは、前記第１および第２のソーラーセルの他に、少なくとも１つ以上のソーラーセルが配置されていることが好ましい。
【０００７】
本開示の電子時計において、前記アンテナ電極の外周に沿って配置され、かつ、互いに直接接続されたソーラーセルの前記アンテナ電極の外周に沿った外縁の長さ寸法は、前記アンテナの外周長の１／２以下であることが好ましい。
【０００８】
本開示の電子時計において、前記各ソーラーセルを直列に接続する接続部は、植え字、略字、植えリング、ダイヤルリング、指針の軸のいずれかと、前記平面視で重なる位置に配置されていることが好ましい。
【０００９】
本開示の電子時計において、前記ソーラーパネルは、前記アンテナに前記平面視で重なるアンテナ被覆部を有し、前記アンテナ被覆部には、前記アンテナで受信される信号を通過させる信号通過部が形成されているものでもよい。
【００１０】
本開示の電子時計において、前記ソーラーパネルは、発電層の有効発電面積が最小のソーラーセルと、発電層の有効発電面積が最大のソーラーセルとの各発電層の有効発電面積の差が予め設定した値以下とされていることが好ましい。
【００１１】
本開示の電子時計において、前記アンテナはパッチアンテナであることが好ましい。
【図面の簡単な説明】
【００１２】
【図１】第１実施形態に係る電子時計を示す正面図である。
【図２】図１のII−II線に沿った断面図である。
【図３】前記電子時計のムーブメントの要部を示す分解斜視図である。
【図４】前記電子時計に組み込まれる平面アンテナを示す斜視図である。
【図５】前記平面アンテナの原理を説明する図である。
【図６】第１実施形態に係るソーラーパネルを示す平面図である。
【図７】第２実施形態に係るソーラーパネルを示す平面図である。
【図８】第３実施形態に係るソーラーパネルを示す平面図である。
【図９】第４実施形態に係るソーラーパネルを示す平面図である。
【図１０】第５実施形態に係るソーラーパネルを示す平面図である。
【図１１】第６実施形態に係るソーラーパネルを示す平面図である。
【図１２】変形例に係るソーラーパネルを示す平面図である。
【発明を実施するための形態】
【００１３】
［第１実施形態］
以下、本発明に係る第１実施形態の電子時計１を図面に基づいて説明する。本実施形態では、図２に示す電子時計１のカバーガラス３１側を表面側または上側とし、裏蓋１２側を裏面側または下側として説明する。
本実施形態の電子時計１は、地球の上空を所定の軌道で周回している複数のＧＰＳ衛星や準天頂衛星などの位置情報衛星からの衛星信号を受信して衛星時刻情報を取得し、内部時刻情報を修正できるように構成されている。さらに、電子時計１は、衛星信号の受信処理として、ユーザーがボタンを操作することで受信を開始する手動受信に加えて、所定の条件に該当した際に自動的に受信を開始する自動受信を備えている。
【００１４】
電子時計１は、図１、２に示すように、文字板２、ムーブメント２０、平面アンテナ４０、二次電池２４等を収容する外装ケース１０を備える。また、電子時計１は、外部操作用のりゅうず６と、３つのボタン７Ａ、７Ｂ、７Ｃとを備える。なお、図２は、文字板２の６時位置および１２時位置を結ぶ線に沿った断面図である。
【００１５】
文字板２は、ポリカーボネートなどの非導電性部材にて円板状に形成されている。文字板２の平面中心には、指針軸３Ａが配置され、この指針軸３Ａには指針３、具体的には秒針３Ｂ、分針３Ｃ、時針３Ｄが取り付けられている。
文字板２は、３つの小窓つまりサブダイヤルを有する。すなわち、図１に示すように、文字板２の指針軸３Ａが設けられた平面中心に対して、３時方向に円形の第１小窓７７０が設けられ、９時方向に円形の第２小窓７８０が設けられ、６時方向に円形の第３小窓７９０が設けられている。第１小窓７７０の平面中心には指針軸４Ｂが配置され、この指針軸４Ｂには指針７７１が取り付けられている。第２小窓７８０の平面中心には指針軸４Ｃが配置され、この指針軸４Ｃには指針７８１が取り付けられている。第３小窓７９０の平面中心には指針軸４Ｄが配置され、この指針軸４Ｄには指針７９１が取り付けられている。
また、文字板２の平面中心に対して、４時および５時の目盛の中間方向に矩形の日窓２Ｂが設けられている。図２にも示すように、文字板２の裏面側には日車５が配置され、日車５は日窓２Ｂから視認可能となっている。さらに、文字板２には、指針軸３Ａが挿通される貫通孔２Ｃと、指針７７１、７８１、７９１の指針軸が挿通される貫通孔も形成されている。
【００１６】
本実施形態では、第１小窓７７０の指針７７１は、クロノグラフ分針であり、第２小窓７８０の指針７８１は、１／５クロノグラフ秒針である。第３小窓７９０の指針７９１は、モード針およびクロノグラフ時針を兼用している。指針７９１がモード針として用いられる場合は、夏時間の設定のオン、オフと、二次電池２４の残量を示すパワーインジケーターと、機内モードと、ＧＰＳ時刻情報を受信し内部時刻を修正する測時モードと、ＧＰＳ時刻情報と軌道情報とを受信して内部時刻とタイムゾーンとを修正する測位モードとの各モードの設定を表示する。
これらの秒針３Ｂ、分針３Ｃ、時針３Ｄ、指針７７１、７８１、７９１および日車５は、後述するステップモーターおよび輪列を介して駆動される。
【００１７】
［電子時計の外装構造］
図１および図２に示すように、外装ケース１０は、ケース本体１１と、裏蓋１２と、カバーガラス３１とを備える。ケース本体１１は、円筒状の胴１１１と、胴１１１の表面側に設けられたベゼル１１２とを備える。
ケース本体１１の裏面側には、ケース本体１１の裏面側の開口を塞ぐ円板状の裏蓋１２が設けられている。裏蓋１２は、ケース本体１１の胴１１１にねじ構造により接続される。なお、本実施形態では、胴１１１と裏蓋１２とは、別体で構成されているが、これに限らず、胴１１１および裏蓋１２が一体化されたワンピースケースでもよい。
胴１１１、ベゼル１１２、裏蓋１２には、ステンレス鋼、チタン合金、アルミ、真鍮などの金属材料が利用される。
【００１８】
［電子時計の内部構造］
次に、電子時計１の外装ケース１０に内蔵される内部構造について説明する。
図２に示すように、外装ケース１０内には、文字板２の他、ムーブメント２０、平面アンテナ４０、日車５、ダイヤルリング３２等が収容される。
【００１９】
ムーブメント２０は、地板２１、図示略の輪列受け、地板２１および輪列受けに支持される駆動体２２、第１回路基板７２３、第２回路基板７２４、二次電池２４、ソーラーパネル２５、第１耐磁板９１、第２耐磁板９２を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。
駆動体収容部２１Ａおよびアンテナ収容部２１Ｃは、地板２１の裏面側に設けられている。アンテナ収容部２１Ｃは、平面位置が文字板２の１２時位置であるため、図１に示すように、平面アンテナ４０は１２時位置に配置されている。具体的には、平面アンテナ４０は、指針３の指針軸３Ａとケース本体１１との間であり、かつ、文字板２の略１１時位置から略１時位置の範囲に配置されている。すなわち、平面アンテナ４０の中心位置は、外装ケース１０の平面中心つまり文字板２の平面中心に対して１１時方向から１時方向までの６０度の角度範囲内に配置されている。
【００２０】
駆動体２２は、地板２１の駆動体収容部２１Ａに収容され、秒針３Ｂ、分針３Ｃ、時針３Ｄ、指針７７１、７８１、７９１および日車５を駆動する複数のステップモーターおよび複数の輪列を備えて構成される。例えば、駆動体２２は、秒針３Ｂを駆動する第１ステップモーター２２１および第１輪列２２１Ａと、分針３Ｃおよび時針３Ｄを駆動する図示略の第２ステップモーターおよび第２輪列と、指針７９１および日車５の駆動に兼用される第３ステップモーター２２３および第３輪列２２３Ａとを有する。第３輪列２２３Ａは、図３に示すように、日車５を回転する日回し車２２８を有する。
さらに、駆動体２２は、指針７７１を駆動する図示略の第４ステップモーターおよび第４輪列と、指針７８１を駆動する図示略の第５ステップモーターおよび第５輪列とを有する。
【００２１】
第１ステップモーター２２１から第５ステップモーターまでの各ステップモーターは、図示を略すが、文字板２の表面に対して垂直方向から見た平面視において、平面アンテナ４０と重ならない領域に配置されている。また、図３に示すように、指針７７１が取り付けられる指針軸４Ｂと、指針７８１が取り付けられる指針軸４Ｃと、指針７９１が取り付けられる指針軸４Ｄとは、それぞれ日車５の内周側に配置されている。
【００２２】
ムーブメント２０において、前記平面視で文字板２の３時位置に対応する部分には、りゅうず６に接続される図示略の巻真やおしどり等の切換機構が配置されている。
【００２３】
［耐磁板］
第１耐磁板９１および第２耐磁板９２は、純鉄などの高透磁率材からなり、外部磁界を迂回させて、各ステップモーターの誤動作を防止するため、前記平面視で各ステップモーターと重なる位置に配置されている。各ステップモーターは、コアに巻回されたコイルと、ステーターと、ローターとを備える。これらのうち、コイル部分は外部磁界の影響を受けにくいので、耐磁板９１、９２とは必ずしも平面的に重ならなくてもよい。従って、耐磁板９１、９２は、各ステップモーターの少なくとも一部に平面視で重なり、特に、ステーターやローターと重なることが好ましい。
第１耐磁板９１は、地板２１および日車５のカバーガラス３１側であり、ソーラーパネル２５の裏面側に配置されている。この耐磁板９１は、各ステップモーターの文字板２側の面をほぼ覆うように配置される。
第１耐磁板９１には、日窓２Ｂに対応する位置に形成されて日車５を視認可能にするための開口部や、指針軸３Ａ、４Ｂ、４Ｃ、４Ｄが配置される開口部が形成されている。
第１耐磁板９１において、前記平面アンテナ４０と平面視で重なる領域は切り欠かれて切欠部９１２とされている。このため、耐磁板９１は、平面アンテナ４０の表面側には配置されず、平面アンテナ４０は、耐磁板９１の切欠部９１２を通して電波を受信できる。
【００２４】
第２耐磁板９２は、図２に示すように、地板２１の時計裏面側つまり裏蓋１２側であり、第２回路基板７２４よりも時計表面側に配置されている。具体的には、地板２１の時計裏面側には、各輪列の軸受を有する図示略の輪列受けが配置され、この輪列受けの時計裏面側に第２耐磁板９２が配置されている。これにより、第２耐磁板９２は、各ステップモーターの裏面つまり裏蓋１２側の面をほぼ覆うように配置される。
【００２５】
［回路基板］
本実施形態の電子時計１は、時計駆動制御用の第１回路基板７２３と、ＧＰＳ受信用の第２回路基板７２４との２枚の回路基板が配置されている。
第１回路基板７２３は、地板２１と第２耐磁板９２との間に配置され、各ステップモーターのコイルに導通する配線などが設けられ、コネクター７５１を介して第２回路基板７２４に接続されている。
【００２６】
第１回路基板７２３には、受信用の第２回路基板７２４からの信号を受信して、モーターを制御する図示略の時計制御ＩＣと、図示略の時計駆動制御ＩＣ等が実装されている。
第２回路基板７２４は、第２耐磁板９２の裏面にスペーサー７５０を介して配置されている。第２回路基板７２４は、図３にも示すように、平面略円形に形成され、かつ、二次電池２４が配置される略円形の切欠部７３１が形成されている。この切欠部７３１に二次電池２４を配置することで、電子時計１を薄型化できる。第２回路基板７２４の表面側には、平面アンテナ４０と、ＧＰＳ衛星から受信した衛星信号を処理する受信部７２６と、電源用ＩＣ７５５と、メモリー用ＩＣ７５６、チップ素子７６１、水晶振動子７６３などが実装されている。メモリー用ＩＣ７５６は、フラッシュメモリーで構成され、ＧＰＳ受信用のファームウェアのプログラムや、測位受信処理において算出した位置情報からタイムゾーンを判別するためのタイムゾーンデータが記憶されている。
【００２７】
スペーサー７５０は、各ＩＣ等を保護する。この際、前記各ＩＣは、少なくとも指針軸３Ａ、４Ｂ、４Ｃ、４Ｄの直下と異なる位置に配置することが望ましい。図２に示すように、第２回路基板７２４の裏面には、回路押え板７２５が配置されている。
回路押え板７２５には、裏蓋１２に導通するための裏蓋導通バネ７２５Ａが一体に形成されている。この裏蓋導通バネ７２５Ａは、回路押え板７２５において複数形成されている。
【００２８】
さらに、二次電池２４の裏蓋側には、図示略の電池端子板が配置され、電池端子板は第２回路基板７２４に導通されている。さらに、ソーラーパネル２５は、後述するように第２回路基板７２４に導通され、ソーラーパネル２５で発電した電力を、第２回路基板７２４を介して二次電池２４に充電可能に構成されている。
【００２９】
［二次電池］
二次電池２４は、図３に示すように、平面円形に形成されたボタン型のリチウムイオン電池であり、駆動体２２、受信部７２６等に電力を供給する。二次電池２４は、第２回路基板７２４の切欠部７３１に設けられ、平面視において、平面アンテナ４０、受信部７２６、電源用ＩＣ７５５と重ならない位置、具体的には、文字板２の平面中心に対して８時方向に配置されている。
【００３０】
［日車］
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車としては、日車５に限らず、曜日を表示する曜車や、月を表示する月車などでもよい。
【００３１】
［文字板］
地板２１の表面側には、ソーラーパネル２５および日車５の表面側を覆って、文字板２が配置される。このため、ソーラーパネル２５は、文字板２の表面に対して垂直方向から見た平面視において、文字板２と重なるように配置される。文字板２は、非導電性を有し、かつ、少なくとも一部の光を透過させる透光性を有するプラスチックなどの材料で形成されている。
ここで、平面視において平面アンテナ４０と重なる文字板２の表面に、植え字、略字、植えリング等を設けることができる。この場合、平面アンテナ４０の受信性能を向上させるため、これらのパーツは、金属製ではなく、プラスチック等の非導電性部材にて形成することが好ましい。一方、平面アンテナ４０と平面的に重ならない第３小窓７９０の植えリングや略字等は、金属パーツを用いることができる。
また、文字板２は、透光性を有するため、時計の表面側から見て、文字板２の裏面側に配置されたソーラーパネル２５が透けて見える。このため、ソーラーパネル２５が配置されている領域と配置されていない領域とで、文字板２の色が違って見える。この色の違いが目立たないように、文字板２にはデザイン的なアクセントをつけてもよい。
さらに、ソーラーパネル２５に切欠部２５１を形成したことで、切欠部２５１に重なる部分の文字板２の色調が他の部分と違って見えることがある。それを防止するためにソーラーパネル２５と同色、例えば紺色や紫色のプラスチックシートをソーラーパネル２５の下に重ねてもよいし、ソーラーパネル２５全体を切り欠かずに、電波遮蔽する電極層を平面アンテナ４０と平面的に重なる部分のみ取り除いて、基材となる樹脂フィルム層を残して色調を合わせてもよい。
【００３２】
［ダイヤルリング］
文字板２の表面側には、非導電性部材である合成樹脂、例えばＡＢＳ樹脂にて形成されたリング部材であるダイヤルリング３２が設けられる。ダイヤルリング３２は、文字板２の周囲に沿って配置され、内周面が傾斜面とされ、この傾斜面には時字やワールドタイムの時差などの目盛が印刷されている。ダイヤルリング３２をプラスチックで成形すれば、受信性能も確保でき、かつ、複雑な形状も形成できて意匠性を向上できる。
【００３３】
［平面アンテナ］
地板２１のアンテナ収容部２１Ｃには、平面アンテナ４０が配置される。平面アンテナ４０は、マイクロストリップアンテナとも呼ばれるパッチアンテナで構成され、ＧＰＳ衛星からの衛星信号を受信する。
平面アンテナ４０は、平面視において、ケース本体１１、ソーラーパネル２５、耐磁板９１、９２とは重ならずに、非導電性部材にて形成された日車５、文字板２、カバーガラス３１と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３１を透過した後、ケース本体１１、耐磁板９１、９２、ソーラーパネル２５によって遮られることなく、文字板２、日車５、地板２１を透過して平面アンテナ４０で受信される。なお、秒針３Ｂ、分針３Ｃ、時針３Ｄは平面アンテナ４０と重なる面積が小さいことから、金属製であっても衛星信号の受信に支障ないが、非導電性部材であれば衛星信号が遮断される影響をより回避できる点で好ましい。
【００３４】
ＧＰＳ衛星は、右旋円偏波で衛星信号を送信している。そのため、本実施形態の平面アンテナ４０は、円偏波特性に優れるパッチアンテナで構成されている。
平面アンテナ４０は、図４に示すように、誘電体基材４１にアンテナ電極４２と、ＧＮＤ電極４３と、給電電極４４とを積層した面実装型のパッチアンテナである。
誘電体基材４１は、セラミック等の誘電体によって直方体状に形成されている。ここで、誘電体基材４１の地板２１、文字板２側の面を表面４１１とし、第２回路基板７２４側の面を裏面４１２とする。また、誘電体基材４１の４つの側面をそれぞれ第１側面４１３Ａ、第２側面４１３Ｂ、第３側面４１３Ｃ、第４側面４１３Ｄとする。図４に示すように、第１側面４１３Ａおよび第２側面４１３Ｂが対向配置され、第３側面４１３Ｃおよび第４側面４１３Ｄが対向配置されている。
アンテナ電極４２は、誘電体基材４１の表面４１１に積層されて、平面視で矩形状に形成され、一対の対角部分には、円偏波を受信するために縮退分離素子部４５が形成されている。縮退分離素子部４５は、アンテナ電極４２で発生する直交する２つの偏波のバランスをずらすものであり、切り欠きや突出部等であれば良い。本実施形態では、アンテナ電極４２の角部を切り欠くことで縮退分離素子部４５を構成している。
【００３５】
給電電極４４は、誘電体基材４１の裏面４１２においてＧＮＤ電極４３と区画されて形成されている。給電電極４４は、第１側面４１３Ａの中央部においてアンテナ電極４２と容量結合する。アンテナ電極４２で受信された衛星電波は、容量結合を介して給電電極４４に伝達し、給電電極４４から取り出すことができる。したがって、平面アンテナ４０は、電磁結合給電方式を採用したパッチアンテナである。
ＧＮＤ電極４３は、誘電体基材４１の裏面４１２において、給電電極４４と絶縁され、かつ、給電電極４４以外を覆うベタ電極である。
【００３６】
図５は、平面アンテナ４０の原理説明図である。なお、図５において、点線４８は、平面アンテナ４０で受信する電波を示し、矢印４９は電気力線を示す。
パッチアンテナが方形の場合は一辺が半波長で共振し、円形の場合は直径が約０．５８波長で共振するが、誘電体を使うと波長短縮効果で小形化できる。パッチアンテナの動作原理は、パッチつまりアンテナ電極４２の縁に沿った強い電界が、縁から空間へ向かって放射されるため、アンテナ近傍の電気力線は強くなり、近傍の金属や誘電体の影響を受けやすい。このため、ＧＰＳ受信においては、金属製の外装ケース１０とアンテナ電極４２との距離はある程度離すことが好ましい。
【００３７】
平面アンテナ４０は、次のようにして製造できる。まず、比誘電率が６０〜１２０程度のチタン酸バリウムを主原料にプレス機で目的の形に成形し、焼成を経てアンテナの誘電体基材４１となるセラミックスを完成する。誘電体基材４１の裏面４１２には、主に銀（Ag）等のペースト材をスクリーン印刷すること等で、アンテナのグランド電極となるＧＮＤ電極４３を構成する。
誘電体基材４１の表面４１１には、アンテナの周波数、受信する信号の偏波を決めるアンテナ電極４２をＧＮＤ電極４３と同様な方法で構成する。アンテナ電極４２は、誘電体基材４１の表面よりも一回り小さく形成され、誘電体基材４１の表面においてアンテナ電極４２の周囲には、アンテナ電極４２が積層されておらず誘電体基材４１が露出する露出面が設けられる。
誘電体基材４１の裏面４１２には、給電電極４４を、ＧＮＤ電極４３と同様な方法で構成する。
誘電体基材４１は、例えば、表面形状は略正方形状であり、一辺の寸法は約１１ｍｍであり、厚さ寸法は３ｍｍである。アンテナ電極４２は、例えば、表面形状は略正方形状であり、一辺の寸法は約８〜９ｍｍである。
【００３８】
平面アンテナ４０の平面中心に対する方向を、文字板２の中心に対する目盛の方向に対応させた場合に、平面アンテナ４０の給電電極４４は、図１に示すように、９時方向の位置に配置されている。このため、平面アンテナ４０は、右旋偏波特性において、３時−９時方向の指向性が得られる。
ユーザーが電子時計１を装着して歩いている状態で自動受信処理を実行した場合、ユーザーが電子時計１を左手首に装着している場合は、電子時計１の９時方向がほぼ天頂方向となり、右手首に装着している場合は、３時方向がほぼ天頂方向となる。したがって、本実施形態の平面アンテナ４０のように、３時−９時方向の指向性があれば、天頂方向からの衛星信号を受信しやすくできる。
【００３９】
平面アンテナ４０は、第２回路基板７２４の表面に実装され、第２回路基板７２４に実装された受信部７２６に給電ラインを介して電気的に接続される。平面アンテナ４０のＧＮＤ電極４３は、第２回路基板７２４のグランドパターンを介して受信部７２６のグランド部に導通しており、第２回路基板７２４はグランドプレーンとして機能する。さらに、受信部７２６のグランド部は、第２回路基板７２４のグランドパターンを介して金属製の胴１１１や裏蓋１２に導通しており、胴１１１や裏蓋１２もグランドプレーンとして利用できる。
【００４０】
平面アンテナ４０は、図２に示すように、第２回路基板７２４を地板２１に固定することで、アンテナ収容部２１Ｃに配置される。平面アンテナ４０の誘電体基材４１は、セラミックで硬く欠けやすいため、地板２１との間にはスポンジなどの緩衝材４７が介在されている。このため、誘電体基材４１が地板２１に衝突して破損することを防止できる。
【００４１】
［ソーラーパネル］
ソーラーパネル２５は、樹脂フィルムで構成されたベース２６の上に図示略の金属電極を形成し、さらにその上に図示略の半導体層、透明電極、保護層を順に積層して構成されている。
ＧＰＳ衛星信号の周波数は、約１．５ＧＨｚであり、高周波であるため、電波時計で受信する長波の標準電波と異なり、ソーラーパネル２５の薄い透明電極でも電波は減衰し、アンテナ特性が低下する。このため、図３、６に示すように、円板状に形成されたソーラーパネル２５は、平面アンテナ４０と平面視で重なる部分に切欠部２５１が形成されている。ソーラーパネル２５は、地板２１の表面側に配置され、平面アンテナ４０の表面側には配置されていない。したがって、平面アンテナ４０は、ソーラーパネル２５の切欠部２５１を通して電波を受信できる。
なお、ソーラーパネル２５には、文字板２の日窓２Ｂと平面的に重なる開口２５２や、指針軸３Ａ、４Ｂ〜４Ｄが挿通される孔２５３、２５７〜２６０が形成されている。なお、本実施形態の電子時計１では、孔２６０には指針軸が配置されていないが、電子時計１の仕様によっては孔２６０に指針軸が設けられる場合がある。例えば、第３小窓７９０にホームタイムの時分を指示する時針、分針が設けられた場合に、孔２６０に配置された指針軸には、ホームタイムの午前（ＡＭ）および午後（ＰＭ）を表示するＡＭ／ＰＭ針が取り付けられる場合がある。このため、ソーラーパネル２５には予め孔２６０が形成され、孔２６０に対応する孔が形成された文字板と、孔２６０に対応する孔が形成されていない文字板とを使い分けている。
【００４２】
ソーラーパネル２５は、複数のソーラーセルに分割され、各ソーラーセルは直列に接続されている。本実施形態のソーラーパネル２５は、図６に示すように、ソーラーセル５０１からソーラーセル５０８までの８個のソーラーセルを有し、各ソーラーセル５０１〜５０８が直列に接続されている。１つのソーラーセルでの起電圧は約０．６Ｖ以上である。このため、８個のソーラーセル５０１〜５０８を直列に接続すれば、約０．６Ｖ×８段＝約４．８Ｖ以上の起電圧が得られる。したがって、起電圧が大きなリチウムイオン製の二次電池２４を充電でき、ＧＰＳ受信装置などの消費電流の大きなデバイスを内蔵できる。なお、ソーラーセルの数は８個に限定されず、７個以下でもよいし、９個以上でもよい。ただし、セル数が少ないと起電圧が低くなるため、別途、昇圧回路を設ける必要がある。一方で、セル数が多いと、各セルの有効発電面積が小さくなり、発電電流が低下する。したがって、セル数は８個程度が好ましい。
【００４３】
以下に、ソーラーセル５０１からソーラーセル５０８の配置について説明する。なお、配置の説明において、文字板２の外周に沿って設けられる１時から１２時の目盛位置を１時位置から１２時位置として説明する。
ソーラーセル５０１は、ソーラーパネル２５の外周に沿って略７時位置から略９時位置の領域に配置されている。
ソーラーセル５０２は、ソーラーセル５０１の隣に配置され、ソーラーパネル２５の外周に沿って略９時位置から略１１時位置の領域に配置されている。
ソーラーセル５０３は、ソーラーセル５０１およびソーラーセル５０２の内周側、つまりソーラーパネル２５の平面の略中心位置に形成された孔２５３側に配置されている。
ソーラーセル５０４は、ソーラーセル５０１およびソーラーセル５０３の隣に配置されている。ソーラーセル５０４は、ソーラーセル５０１に対しては、孔２５９側に配置され、ソーラーセル５０３に対しては、略６時位置側に配置されている。
ソーラーセル５０５は、ソーラーセル５０４の隣に配置されている。ソーラーセル５０５は、ソーラーセル５０４に対して開口２５２側に配置されている。
ソーラーセル５０６は、ソーラーセル５０３およびソーラーセル５０５の隣に配置されている。ソーラーセル５０６は、ソーラーセル５０３に対して３時位置側に配置され、ソーラーセル５０５に対して２時位置側に配置されている。
ソーラーセル５０７は、ソーラーセル５０６の隣に配置され、ソーラーパネル２５の外周に沿って略１時位置から略３時位置の領域に配置されている。
ソーラーセル５０８は、ソーラーセル５０５、ソーラーセル５０６、ソーラーセル５０７の隣に配置され、ソーラーパネル２５の外周に沿って略３時位置から略５時位置の領域に配置されている。
【００４４】
ソーラーセル５０１において、ソーラーパネル２５の外周に沿った外縁は円弧状に形成され、ソーラーセル５０２との区画部分は直線状に形成され、ソーラーセル５０３との区画部分は第２小窓７８０の外周に沿って円弧状に形成されている。ソーラーセル５０１において、ソーラーセル５０４との区画部分は略円弧状に形成され、さらにソーラーパネル２５の外周側はジグザグに折曲されて形成されている。
ソーラーセル５０２において、ソーラーパネル２５の外周に沿った外縁は円弧状に形成されている。ソーラーセル５０２において、ソーラーセル５０１との区画部分は直線状に形成され、ソーラーセル５０３との区画部分は第２小窓７８０の外周に沿って円弧状に形成されている。ソーラーセル５０２において、切欠部２５１に沿った外縁５０２Ａは、切欠部２５１の９時側の切欠面つまり第１側面４１３Ａと略平行な直線状に形成されている。
【００４５】
ソーラーセル５０３において、ソーラーセル５０１、ソーラーセル５０２との区画部分は、第２小窓７８０の外周に沿って円弧状に形成されている。ソーラーセル５０３において、切欠部２５１に沿った外縁５０３Ａは、切欠部２５１の６時側の切欠面つまり第４側面４１３Ｄと略平行な直線状に形成されている。ソーラーセル５０３において、ソーラーセル５０６との区画部分は孔２５３から１２時位置に向かって直線状に延長されて形成され、ソーラーセル５０４との区画部分の一部は孔２５３から９時位置に向かって直線状に延長されて形成されている。
ソーラーセル５０４において、ソーラーセル５０１およびソーラーセル５０３との区画部分は、ソーラーセル５０１、ソーラーセル５０３の外縁に沿って形成されている。ソーラーセル５０４において、ソーラーセル５０５との区画部分は、孔２５３から６時位置に向かって形成され、直線部分と半円部分とを備えて形成されている。
【００４６】
ソーラーセル５０５において、ソーラーセル５０４との区画部分は、ソーラーセル５０４の外縁に沿って形成されている。ソーラーセル５０５において、ソーラーセル５０６との区画部分は、孔２５３から略４時位置に向かって直線状に延長され、さらに湾曲して形成されている。ソーラーセル５０５において、ソーラーセル５０８との区画部分は、第３小窓７９０の外周にそって円弧状に形成され、さらに、ソーラーパネル２５の外周に向かって直線状に形成されている。
ソーラーセル５０６において、切欠部２５１に沿った外縁５０６Ａは、切欠部２５１の６時側の切欠面つまり第４側面４１３Ｄと略平行な直線状に形成されている。ソーラーセル５０６において、ソーラーセル５０３との区画部分は、ソーラーセル５０３に沿って形成されている。ソーラーセル５０６において、ソーラーセル５０７との区画部分は、第１小窓７７０の外周に沿って円弧状に形成されている。ソーラーセル５０６において、ソーラーセル５０８との区画部分は、第１小窓７７０の外周に沿って形成されている。さらに、ソーラーセル５０６において、ソーラーセル５０８との区画部分は、文字板２のバリエーションとして、孔２６０に指針軸が配置され、第１小窓７７０に隣接する小窓が形成される場合の前記小窓の外周に沿って形成されている。
【００４７】
ソーラーセル５０７において、ソーラーパネル２５の外周に沿った外縁は円弧状に形成されている。ソーラーセル５０７において、ソーラーセル５０８との区画部分は直線状に形成され、ソーラーセル５０６との区画部分は第２小窓７８０の外周に沿って円弧状に形成されている。ソーラーセル５０７において、切欠部２５１に沿った外縁５０７Ａは、切欠部２５１の３時側の切欠面つまり第２側面４１３Ｂと略平行な直線状に形成されている。
ソーラーセル５０８において、ソーラーパネル２５の外周に沿った外縁は、開口２５２部分を除き円弧状に形成され、開口２５２部分は、開口２５２に沿って形成されている。ソーラーセル５０８において、ソーラーセル５０５、ソーラーセル５０６との区画部分は、ソーラーセル５０５、ソーラーセル５０６の外縁に沿って形成されている。
【００４８】
なお、ソーラーセル５０３、ソーラーセル５０４、ソーラーセル５０５、ソーラーセル５０６において、孔２５３の外周に沿った外縁は、孔２５３の外周に沿って円弧状に形成されている。また、ソーラーセル５０３、ソーラーセル５０５、ソーラーセル５０６において、指針軸４Ｂ、４Ｃ、４Ｄが挿通される孔２５７、２５８、２５９や孔２６０の周囲は、各孔２５７、２５８、２５９、２６０と同心円状に形成されている。
【００４９】
ここで、平面アンテナ４０の第１側面４１３Ａ、第２側面４１３Ｂに沿って配置されるソーラーセル５０２の外縁５０２Ａと、ソーラーセル５０７の外縁５０７Ａの各周長、つまり各外縁５０２Ａ、５０７Ａのそれぞれの長さ、より具体的には、図６において、第１仮想直線Ｌ１に沿った方向の各寸法は、平面アンテナ４０の第１側面４１３Ａ、第２側面４１３Ｂの長さ、つまり第１仮想直線Ｌ１に沿った方向の寸法と略等しい。なお、第１仮想直線Ｌ１は、アンテナ電極４２の中心と文字板２の中心とを通る仮想直線であり、第２仮想直線Ｌ２は、第１仮想直線Ｌ１に直交し且つ文字板２の中心を通る仮想直線である。
また、平面アンテナ４０の第４側面４１３Ｄに沿って配置されるソーラーセル５０３の外縁５０３Ａと、ソーラーセル５０６の外縁部５０６Ａの各周長、つまり各外縁５０３Ａ、５０６Ａのそれぞれ長さ、より具体的には、図６において、第２仮想直線Ｌ２に沿った方向の各寸法は、平面アンテナ４０の第４側面４１３Ｄの長さ、つまり第２仮想直線Ｌ２に沿った方向の寸法の約半分とされている。
したがって、直列に接続されるソーラーセル５０２およびソーラーセル５０３のアンテナ電極４２の外周に沿った周長、つまり外縁５０２Ａおよび外縁５０３Ａの各周長を加算した寸法と、直列に接続されるソーラーセル５０６およびソーラーセル５０７のアンテナ電極４２の外周に沿った周長、つまり外縁５０６Ａおよび外縁５０７Ａの各周長を加算した寸法とは同じ寸法とされ、平面アンテナ４０の外周長つまり４つの側面４１３Ａ、４１３Ｂ、４１３Ｃ、４１３Ｄの各周長を加算した寸法の１／２以下である。例えば、平面アンテナ４０の側面４１３Ａ、４１３Ｂ、４１３Ｃ、４１３Ｄの各周長が約１０ｍｍであったとすると、平面アンテナ４０の外周長は約４０ｍｍ、外縁５０２Ａおよび外縁５０３Ａの各周長を加算した長さ寸法つまり外縁の長さ寸法は約１５ｍｍ、外縁５０６Ａおよび外縁５０７Ａの各周長を加算した寸法つまり外縁の長さ寸法も約１５ｍｍとなる。したがって、約１５ｍｍとなる前記外縁の長さ寸法は、約４０ｍｍとなる平面アンテナ４０の外周長の１／２以下である。
【００５０】
また、各ソーラーセル５０１〜５０８の発電層の有効発電面積は、略均等となるように、すなわち、有効発電面積のバラツキが一定範囲に収まるように設計されている。ここで、ソーラーセルの発電層の面積のバラツキが一定範囲に収まるとは、ソーラーパネル２５に設けられる各ソーラーセル５０１〜５０８において、発電層の有効発電面積が最小のソーラーセルと、発電層の有効発電面積が最大のソーラーセルの各発電層の有効発電面積の差が予め設定した値以下となっていることを意味する。具体的には、各ソーラーセルの発電層の有効発電面積の平均値をｘとした場合に、各ソーラーセルの発電層の有効面積は、ｘに対して１０％以内の面積となっていることを意味する。以下に説明する他の実施形態においても同様である。
各ソーラーセル５０１〜５０８は、図６の第１仮想直線Ｌ１を挟んで略線対称となるように設計されている。例えば、ソーラーセル５０２およびソーラーセル５０７は、第１仮想直線Ｌ１を挟んで線対称に設計されている。
ソーラーセル５０３およびソーラーセル５０６は、ソーラーセル５０６のみに孔２６０が形成され、その分、ソーラーセル５０６の発電層の有効発電面積が減少する。このため、ソーラーセル５０６は、孔２６０の周囲に張出部を形成して発電層の有効発電面積を加算している。
ソーラーセル５０１およびソーラーセル５０８は、ソーラーセル５０８のみに開口２５２が形成され、その分、ソーラーセル５０８の発電層の有効発電面積が減少する。このため、ソーラーセル５０８とソーラーセル５０５との区画線は、ソーラーセル５０１とソーラーセル５０４との区画線よりも第１仮想直線Ｌ１に近づけて設定され、ソーラーセル５０８の発電層の有効発電面積を加算している。
ソーラーセル５０４およびソーラーセル５０５は、ソーラーセル５０８とソーラーセル５０５との区画線が、ソーラーセル５０１とソーラーセル５０４との区画線よりも第１仮想直線Ｌ１に近づけて設定されている分、ソーラーセル５０５の発電層の有効発電面積が減少する。このため、孔２５９の周囲の区画線をソーラーセル５０４側に張り出して形成し、ソーラーセル５０５の発電層の有効発電面積を加算している。
以上のように、各ソーラーセル５０１〜５０８の発電層の形状を設定することで、各ソーラーセル５０１〜５０８の発電層の有効発電面積のバラツキが一定範囲に収まるように設計している。
【００５１】
次に、各ソーラーセル５０１〜５０８による二次電池２４の充電経路について説明する。
ソーラーパネル２５の外周端部には、電極端子２７１、２７２が設けられ、各ソーラーセル５０１〜５０８は、電極端子２７１、２７２間に直列に接続されている。
電極端子２７１は、ソーラーセル５０１の金属電極または透明電極の一方の電極に導通され、電極端子２７２は、ソーラーセル５０８の金属電極または透明電極の他方の電極に導通されている。そして、図３に示すように、電極端子２７１、２７２と、第２回路基板７２４の充電用端子７４１、７４２との間には、第一の導電部材である第一導通バネ２８１と、第二の導電部材である第二導通バネ２８２とが配置されている。したがって、ソーラーパネル２５で発電した電流は、電極端子２７１、２７２、導通バネ２８１、２８２、充電用端子７４１、７４２を介して二次電池２４に充電される。
なお、電極端子２７１、２７２や導通バネ２８１、２８２は、平面視で日車５の外周側に配置され、見切り部材であるダイヤルリング３２で隠されている。地板２１には、導通バネ２８１、２８２を挿通するための貫通孔２１１、２１２が形成されている。
【００５２】
各ソーラーセル５０１〜５０８は、隣り合うソーラーセルの一方のソーラーセルの金属電極と、他方のソーラーセルの透明電極とを、接続部５１１〜５１７で接続することで直列に接続されている。
接続部５１１は、ソーラーセル５０１およびソーラーセル５０２を電気的に直列に接続つまり導通する。接続部５１２は、ソーラーセル５０２およびソーラーセル５０３を電気的に直列に接続つまり導通する。接続部５１３は、ソーラーセル５０３およびソーラーセル５０４を電気的に直列に接続つまり導通する。接続部５１４は、ソーラーセル５０４およびソーラーセル５０５を電気的に直列に接続つまり導通する。接続部５１５は、ソーラーセル５０５およびソーラーセル５０６を電気的に直列に接続つまり導通する。接続部５１６は、ソーラーセル５０６およびソーラーセル５０７を電気的に直列に接続つまり導通する。接続部５１７は、ソーラーセル５０７およびソーラーセル５０８を電気的に直列に接続つまり導通する。
【００５３】
平面アンテナ４０のアンテナ電極４２の外周に沿って配置される４つのソーラーセル５０２、５０３、５０６、５０７のうち、ソーラーセル５０２およびソーラーセル５０３と、ソーラーセル５０６およびソーラーセル５０７とは、接続部５１２、５１６で互いに直接接続されている。
ソーラーセル５０３およびソーラーセル５０６は、平面アンテナ４０の第４側面４１３Ｄに沿って、つまりアンテナ電極４２の外周に沿って連続して配置されている。このソーラーセル５０３およびソーラーセル５０６は、互いに直接には接続はされておらず、アンテナ電極４２の外周に沿って配置されていないソーラーセル５０４、ソーラーセル５０５を介して直列に接続されている。
すなわち、ソーラーセル５０４、ソーラーセル５０５は、アンテナ電極４２の外周との間に、ソーラーセル５０３、ソーラーセル５０６が位置するように配置されており、これらによって第３のソーラーセルが構成される。したがって、第３のソーラーセルであるソーラーセル５０４およびソーラーセル５０５を介して直列に接続されるソーラーセル５０３、ソーラーセル５０６によって、第１のソーラーセル、第２のソーラーセルが構成される。
【００５４】
接続部５１１、５１４、５１７は、各ソーラーセル５０１、５０２、５０４、５０５、５０７、５０８の外周に沿って設けられて、ダイヤルリング３２と平面視で重なる位置に配置されている。このため、接続部５１１、５１４、５１７は、透光性を有する文字板２を視認した際に目立たないように配置されている。
接続部５１２、５１６は、文字板２において９時、３時を指示する略字つまり棒状の目盛と平面視で重なる位置に配置されている。このため、接続部５１２、５１６は、文字板２を視認した際に目立たないように配置されている。
接続部５１３、５１５は、指針軸３Ａが挿通される孔２５３の周囲に沿って配置されている。このため、接続部５１３、５１５は、運針する指針３と平面視で重なる位置に配置され、文字板２を視認した際に目立たないように配置されている。
【００５５】
第２回路基板７２４は、平面視において、文字板２と重なるように配置されている。第一導通バネ２８１、第二導通バネ２８２は、平面アンテナ４０から平面視で離れた位置に配置されている。図６に示すように、前記平面視において、第２仮想直線Ｌ２によって文字板２を２つの領域２０１、２０２に分けた場合に、平面アンテナ４０が配置される領域２０１とは異なる領域２０２に配置されている。ここで、領域２０１は、文字板２の１２時位置を含む領域であり、具体的には、９時位置から１２時位置を介して３時位置までの半円状の領域である。領域２０２は、文字板２の６時位置を含む領域であり、具体的には３時位置から６時位置を介して９時位置までの半円状の領域である。
【００５６】
領域２０１を第１仮想直線Ｌ１で２つの領域２０１Ａ、２０１Ｂに分けた場合、領域２０１Ａは、９時位置から１２時位置までの四分円状の領域であり、領域２０１Ｂは、１２時位置から３時位置までの四分円状の領域である。同じく、領域２０２を第１仮想直線Ｌ１で２つの領域２０２Ａ、２０２Ｂに分けた場合、領域２０２Ａは、６時位置から９時位置までの四分円状の領域であり、領域２０２Ｂは、３時位置から６時位置までの四分円状の領域である。
電極端子２７１および第一導通バネ２８１は、領域２０２Ａに配置され、電極端子２７２および第二導通バネ２８２は、領域２０２Ｂに配置されている。すなわち、第一導通バネ２８１、第二導通バネ２８２は、ソーラーパネル２５と第２回路基板７２４とを接続する接続部材であり、各導通バネ２８１、２８２は、平面アンテナ４０に対して平面視で離されて配置され、さらに、導通バネ２８１、２８２同士も互いに離れて配置されている。
【００５７】
［第１実施形態の作用効果］
電子時計１は、平面アンテナ４０のアンテナ電極４２に沿って配置されるソーラーセル５０３、ソーラーセル５０６を直接接続するのではなく、ソーラーセル５０４、ソーラーセル５０５を介して接続している。このため、平面アンテナ４０の周囲のソーラーセル５０３、ソーラーセル５０６に平面アンテナ４０で受信する電波を妨害する電流が流れることを防止でき、平面アンテナ４０の受信性能の低下を抑制できる。
また、第２仮想直線Ｌ２で分けた２つの領域のうち、一方の領域２０１に平面アンテナ４０を配置し、他方の領域２０２に第一導通バネ２８１、第二導通バネ２８２を配置でき、平面アンテナ４０と第一導通バネ２８１、第二導通バネ２８２とを離して配置できる。このため、第一導通バネ２８１、第二導通バネ２８２による影響を抑制でき、平面アンテナ４０の受信感度を向上できる。
その上、ソーラーセル５０１と、ソーラーセル５０８との間に、ソーラーセル５０４、ソーラーセル５０５が配置されたレイアウトを採用したので、第一導通バネ２８１および第二導通バネ２８２同士もある程度離して配置でき、第一導通バネ２８１、第二導通バネ２８２による平面アンテナ４０への影響も軽減できる。
【００５８】
平面アンテナ４０のアンテナ電極４２に沿って、ソーラーセル５０２、ソーラーセル５０３、ソーラーセル５０６、ソーラーセル５０７の４つのソーラーセルを配置したので、平面アンテナ４０の周囲のソーラーセル５０２、５０３、５０６、５０７に平面アンテナ４０で受信する電波を妨害する電流が流れることをさらに防止でき、平面アンテナ４０の受信性能の低下を抑制できる。
すなわち、本発明者が実験したところ、平面アンテナ４０の第１側面４１３Ａ、第４側面４１３Ｄ、第２側面４１３Ｂに沿って、つまりアンテナ電極４２の外周に沿って１つのソーラーセルを配置した場合のアンテナ利得を基準とした場合、アンテナ電極４２の外周に沿って２つのソーラーセルを配置した場合の前記基準のアンテナ利得との利得差は約０．９ｄＢｉｃであり、前記第１実施形態のようにアンテナ電極４２の外周に沿って４つのソーラーセルを配置した場合の前記基準のアンテナ利得との利得差は約１．３ｄＢｉｃであった。すなわち、ソーラーセル５０２およびソーラーセル５０３が直接接続され、ソーラーセル５０６およびソーラーセル５０７が直接接続されていても、４つのソーラーセル５０２、５０３、５０６、５０７をアンテナ電極４２の外周に沿って配置したほうが、２つのソーラーセルを配置するよりも受信性能を向上できる。したがって、アンテナ電極４２の外周に沿って３つ以上のソーラーセルを配置することで、２つ以下のソーラーセルを配置した場合に比べて受信性能を向上できる。
【００５９】
アンテナ電極４２の外周に沿って配置される４つのソーラーセル５０２、５０３、５０６、５０７のうち、互いに直接接続されるソーラーセル５０２およびソーラーセル５０３の外縁５０２Ａおよび５０３Ａの長さ寸法は、平面アンテナ４０の外周長の１／２以下であり、互いに直接接続されるソーラーセル５０６およびソーラーセル５０７の外縁５０６Ａおよび５０７Ａの長さ寸法も、平面アンテナ４０の外周長の１／２以下である。このため、平面アンテナ４０の受信性能に対するソーラーパネル２５の影響を低減することができる。すなわち、平面アンテナ４０は、アンテナ電極４２の外周に沿って配置され、かつ、直接接続されるソーラーセルによって受信性能に影響を受ける。特に、直接接続されるソーラーセルのアンテナ電極４２の外周に沿った外縁の長さ寸法が、平面アンテナ４０の外周長の１／２よりも長くなると、平面アンテナ４０の受信性能に対する影響も高まる。これに対し、本実施形態では、直接接続されるソーラーセルのアンテナ電極４２の外周に沿った外縁の長さ寸法が、平面アンテナ４０の外周長の１／２以下に設定したので、平面アンテナ４０の受信性能に対するソーラーパネル２５の影響を低減することができる。
【００６０】
ソーラーパネル２５の発電電力量は、直列に接続される各ソーラーセル５０１〜５０８において、発電層の有効発電面積が最小のセルによって決まる。このため、各ソーラーセル５０１〜５０８の発電層の有効発電面積を均等にすれば、発電電力量を最大値にできる。本実施形態では、各ソーラーセル５０１〜５０８の発電層の形状を工夫することで、各ソーラーセル５０１〜５０８の発電層の有効発電面積のバラツキが一定範囲に収まるように設計しているので、ソーラーパネル２５の発電電力量を向上できる。
【００６１】
各ソーラーセル５０１〜５０８を直列に接続する接続部５１１〜５１８を、ダイヤルリング３２、略字、植えリング、指針等に平面視で重なる位置に配置したので、文字板２を視認した際に接続部５１１〜５１８が目立たないようにできる。このため、電子時計１の外観を向上できる。
【００６２】
ソーラーパネル２５において、平面アンテナ４０と平面視で重なる部分は切欠部２５１とされ、平面アンテナ４０の上面にソーラーパネル２５が配置されていないため、衛星信号がソーラーパネル２５で遮断されることがなく、平面アンテナ４０の受信性能の低下を抑制できる。
平面アンテナ４０の給電電極４４を、平面視で平面アンテナ４０の中心に対して９時方向となるように配置したので、ＧＰＳ衛星信号のように右旋偏波信号を受信する際に、平面アンテナ４０の平面方向の指向性を３時−９時方向に設定できる。したがって、手首に電子時計１を装着した状態でユーザーが歩行している場合に、電子時計１の３時−９時方向を天頂方向に向けることができるため、位置情報衛星から送信される衛星信号を感度良く受信できる。
従って、特に、自動受信時に受信に成功する確率を向上でき、自動的に内部時刻も修正できるため、表示時刻の精度も向上でき、利便性の高い電子時計１を提供できる。
【００６３】
平面アンテナ４０において、給電電極４４を９時方向に配置したので、腕を垂直方向に下ろした際に電子時計１の９時方向を天頂方向に向けることができる。したがって、歩行中に腕を前後に振った場合でも、受信感度の変化を小さくでき、自動受信の成功確率をより向上できる。
平面アンテナ４０を文字板２の中心から１２時方向に配置し、給電電極４４を平面アンテナ４０の中心から９時方向に配置したので、給電電極４４を外装ケース１０から離して配置することができる。
このため、金属製のケース本体１１による平面アンテナ４０への影響を軽減でき、平面アンテナ４０の受信感度を向上できる。
平面アンテナ４０は、給電電極４４をストリップ電極で構成したので、給電ピンを用いた給電部に比べて平面アンテナ４０を薄型化でき、面実装で容易に製造できる。
【００６４】
［第２実施形態］
次に、第２実施形態のソーラーパネル２５Ｂについて、図７を参照して説明する。ソーラーパネル２５Ｂは、サブダイヤルを備えずに、平面視で図示略の文字板の中心に設けられる指針軸に取り付けられる時針、分針、秒針を備える一般的な時計に設けられるものである。なお、第２実施形態において、第１実施形態と同一または同様の構成には同一符号を付し、説明を省略する。
第２実施形態のソーラーパネル２５Ｂのベース２６Ｂは、平面アンテナ４０と平面視で重なる部分は切り欠かれておらず、ベース２６Ｂは平面視で略円形に形成されている。ベース２６Ｂにおいて、前記平面アンテナ４０と平面視で重なる領域には、ソーラーセルが配置されていないため、ベース２６Ｂが衛星信号の受信を妨げることはない。ベース２６Ｂにおいて、ソーラーセルが配置されておらず、平面アンテナ４０を覆う領域でアンテナ被覆部２６１が構成される。また、アンテナ被覆部２６１は、衛星信号を通過させることができるため、アンテナ被覆部２６１の全体が信号通過部としても機能する。
ソーラーパネル２５Ｂには指針軸が挿通される孔２５３が形成されている。
【００６５】
ベース２６Ｂ上には、ソーラーセル５２１からソーラーセル５２８までの直列に接続された８個のソーラーセルが設けられている。
ソーラーセル５２１は、ソーラーパネル２５Ｂの外周に沿って６時位置から９時位置の領域に配置されている。
ソーラーセル５２２は、ソーラーセル５２１の隣に配置され、ソーラーパネル２５Ｂの外周に沿って９時位置から略１１時位置の領域に配置されている。
ソーラーセル５２３は、ソーラーセル５２２の内周側、つまりソーラーパネル２５Ｂの平面の略中心位置に形成された孔２５３側に配置されている。
ソーラーセル５２４は、ソーラーセル５２１の内周側に配置されている。
ソーラーセル５２５は、ソーラーセル５２４の隣に配置されている。
ソーラーセル５２６は、ソーラーセル５２３およびソーラーセル５２５の隣に配置されている。
ソーラーセル５２７は、ソーラーセル５２６の外周側に配置され、ソーラーパネル２５Ｂの外周に沿って略１時位置から３時位置の領域に配置されている。
ソーラーセル５２８は、ソーラーセル５２５の外周側に配置され、ソーラーパネル２５Ｂの外周に沿って３時位置から６時位置の領域に配置されている。
【００６６】
すなわち、各ソーラーセル５２１〜５２８は、第１仮想直線Ｌ１、第２仮想直線Ｌ２に沿って区画され、さらに円周状の区画線で内周側および外周側に２分割されている。したがって、ソーラーパネル２５Ｂの内周側に配置されるソーラーセル５２３、ソーラーセル５２４、ソーラーセル５２５、ソーラーセル５２６は略扇形に形成され、ソーラーパネル２５Ｂの外周側に配置されるソーラーセル５２１、ソーラーセル５２２、ソーラーセル５２７、ソーラーセル５２８は略円環扇形に形成されている。
また、ソーラーパネル２５Ｂにおいて第２仮想直線Ｌ２よりも１２時側に配置されるソーラーセル５２２、ソーラーセル５２３、ソーラーセル５２６、ソーラーセル５２７は、平面視で平面アンテナ４０に重なる領域には設けられていない。
このため、各ソーラーセル５２１〜５２８は、第１仮想直線Ｌ１に対して線対称となる形状とされている。
また、各ソーラーセル５２２、５２７は、平面アンテナ４０と平面視で重なる部分には設けられていないため、ソーラーセル５２１、５２８よりも有効発電面積が小さくされている。同様に、ソーラーセル５２３、５２６は、平面アンテナ４０と平面視で重なる部分には設けられていないため、ソーラーセル５２４、５２５よりも有効発電面積が小さくされている。
内周側の４つのソーラーセル５２３、５２４、５２５、５２６と、外周側の４つのソーラーセル５２１、５２２、５２７、５２８とを区画する円周状の区画線は、各ソーラーセル５２１〜５２８の有効発電面積のばらつきが一定範囲となるように設定している。
【００６７】
ソーラーセル５２２において、平面アンテナ４０に沿った外縁５２２Ａは、第１側面４１３Ａと略平行な直線状に形成されている。
ソーラーセル５２３において、平面アンテナ４０に沿った外縁５２３Ａは、第１側面４１３Ａと略平行な直線部分と、第４側面４１３Ｄと略平行な直線部分と、各直線部分を繋ぐ湾曲部分とを備えて形成されている。
ソーラーセル５２６において、平面アンテナ４０に沿った外縁５２６Ａは、第２側面４１３Ｂと略平行な直線部分と、第４側面４１３Ｄと略平行な直線部分と、各直線部分を繋ぐ湾曲部分とを備えて形成されている。
ソーラーセル５２７において、平面アンテナ４０に沿った外縁５２７Ａは、第２側面４１３Ｂと略平行な直線状に形成されている。
このため、直列に接続されるソーラーセル５２２およびソーラーセル５２３のアンテナ電極４２の外周に沿った周長、つまり外縁５２２Ａおよび外縁５２３Ａの各周長を加算した寸法と、直列に接続されるソーラーセル５２６およびソーラーセル５２７のアンテナ電極４２の外周に沿った周長、つまり外縁５２６Ａおよび外縁５２７Ａの各周長を加算した寸法とは同じ寸法とされ、平面アンテナ４０の外周長の１／２以下である。
【００６８】
次に、各ソーラーセル５２１〜５２８による二次電池２４の充電経路について説明する。
ソーラーパネル２５Ｂの外周端部には、ソーラーパネル２５と同じく電極端子２７１、２７２が設けられ、各ソーラーセル５２１〜５２８は、電極端子２７１、２７２間に直列に接続されている。
電極端子２７１は、ソーラーセル５２１の金属電極または透明電極の一方の電極に導通され、電極端子２７２は、ソーラーセル５２８の金属電極または透明電極の他方の電極に導通されている。そして、第１実施形態と同じく、電極端子２７１、２７２は、第一導通バネ２８１、第二導通バネ２８２、第２回路基板７２４を介して二次電池２４に導通される。
【００６９】
各ソーラーセル５２１〜５２８は、第１実施形態と同様に、接続部５３１〜５３７で接続することで直列に接続されている。
接続部５３１は、ソーラーセル５２１およびソーラーセル５２２を電気的に直列に接続する。接続部５３２は、ソーラーセル５２２およびソーラーセル５２３を電気的に直列に接続する。接続部５３３は、ソーラーセル５２３およびソーラーセル５２４を電気的に直列に接続する。接続部５３４は、ソーラーセル５２４およびソーラーセル５２５を電気的に直列に接続する。接続部５３５は、ソーラーセル５２５およびソーラーセル５２６を電気的に直列に接続する。接続部５３６は、ソーラーセル５２６およびソーラーセル５２７を電気的に直列に接続する。接続部５３７は、ソーラーセル５２７およびソーラーセル５２８を電気的に直列に接続する。
【００７０】
平面アンテナ４０のアンテナ電極４２の外周に沿って配置される４つのソーラーセル５２２、５２３、５２６、５２７のうち、ソーラーセル５２２およびソーラーセル５２３と、ソーラーセル５２６およびソーラーセル５２７とは、接続部５３２、５３６で互いに直接接続されている。
平面アンテナ４０の第４側面４１３Ｄに沿って配置されるソーラーセル５２３およびソーラーセル５２６は、互いに直接には接続されておらず、アンテナ電極４２の外周に沿って配置されていないソーラーセル５２４、ソーラーセル５２５を介して直列に接続されている。したがって、前記第１実施形態と同じく、ソーラーセル５２３、ソーラーセル５２６によって、第１のソーラーセル、第２のソーラーセルが構成され、ソーラーセル５２４、ソーラーセル５２５によって第３のソーラーセルが構成される。
【００７１】
接続部５３１、５３７は、ソーラーパネル２５Ｂの外周に沿って設けられ、ダイヤルリング３２と平面視で重なる位置に配置されている。
このため、接続部５３１、５３７は、透光性を有する文字板２を視認した際に目立たないように配置されている。
接続部５３２、５３４、５３６は、平面視で文字板２の中心つまり孔２５３に対して１０時、６時、２時の各方向に配置されている。このため、時刻を指示する略字つまり棒状の目盛と平面視で重なるように配置することで、接続部５３２、５３４、５３６が文字板２を視認した際に目立たないように配置することができる。
接続部５３３は、指針軸３Ａが挿通される孔２５３の周囲つまり運針する指針３と平面視で重なる位置に配置され、文字板２を視認した際に目立たないように配置されている。
【００７２】
ソーラーパネル２５Ｂを、第１実施形態と同様に、第１仮想直線Ｌ１、第２仮想直線Ｌ２で４つの領域２０１Ａ、２０１Ｂ、２０２Ａ、２０２Ｂに区画した場合、電極端子２７１および第一導通バネ２８１は、第１実施形態と同じく、領域２０２Ａに配置され、電極端子２７２および第二導通バネ２８２は、領域２０２Ｂに配置されている。
【００７３】
このような第２実施形態においても、前記第１実施形態と同様の作用効果を奏することができる。
また、ソーラーパネル２５Ｂでは、各ソーラーセル５２１〜５２８が第１仮想直線Ｌ１に対して線対称の形状とされているので、特に文字板２の平面中心のみに指針軸がある電子時計において、ソーラーセル５２１〜５２８のレイアウトのバランスを向上できる。
【００７４】
［第３実施形態］
次に、第３実施形態のソーラーパネル２５Ｃについて、図８を参照して説明する。ソーラーパネル２５Ｃは、第１実施形態の電子時計１と同様のサブダイヤルを備える時計に設けられるものである。このため、ソーラーパネル２５Ｃには、ソーラーパネル２５と同じく指針軸が挿通される孔２５３、２５７、２５８、２５９、２６０が設けられる。なお、第３実施形態において、第１実施形態と同一または同様の構成には同一符号を付し、説明を省略する。
第３実施形態のソーラーパネル２５Ｃのベース２６Ｃは、第２実施形態のベース２６Ｂと同じく平面アンテナ４０と平面視で重なる部分は切り欠かれておらず、平面アンテナ４０を覆うアンテナ被覆部２６１が形成されている。ベース２６Ｃにおいても、アンテナ被覆部２６１の全体が信号通過部としても機能する。
【００７５】
ベース２６Ｃ上には、ソーラーセル５４１からソーラーセル５４８までの直列に接続された８個のソーラーセルが設けられている。ソーラーパネル２５Ｃでは、ソーラーセル５４１、ソーラーセル５４２、ソーラーセル５４７、ソーラーセル５４８の４つのソーラーセルが平面アンテナ４０の外周に沿って配置されている。そして、ソーラーセル５４１は、電極端子２７１および第一導通バネ２８１に導通され、ソーラーセル５４８は、電極端子２７２および第二導通バネ２８２に導通される。すなわち、第２回路基板７２４に導通するソーラーセル５４１、ソーラーセル５４８を、平面アンテナ４０のアンテナ電極４２に沿って設けている点が前記第１、２実施形態と相違する。
このため、ソーラーセル５４１およびソーラーセル５４８は、電極端子２７１、２７２が配置される領域２０２Ａおよび２０２Ｂから、平面アンテナ４０が配置される領域２０１Ａおよび領域２０１Ｂまで、ソーラーパネル２５Ｃの外周に沿って配置されている。また、ソーラーセル５４２からソーラーセル５４７までは、孔２５３の周囲に配置されている。
【００７６】
ソーラーセル５４１は、ソーラーパネル２５Ｃの外周に沿って略７時位置から略１１時位置の領域に配置されている。
ソーラーセル５４２は、ソーラーセル５４１の内周側に配置され、ソーラーセル５４１の内周に沿って略９時位置から略１１時位置の領域に配置されている。
ソーラーセル５４３は、ソーラーセル５４１の内周側に配置され、ソーラーセル５４１の内周に沿って略８時位置から略９時位置の領域に配置されている。
ソーラーセル５４４は、ソーラーパネル２５Ｃの外周の６時位置からソーラーセル５４１の内周に沿った略８時位置までの領域に配置されている。
ソーラーセル５４５は、ソーラーパネル２５Ｃの略５時位置から６時位置までの領域に配置されている。
ソーラーセル５４６は、ソーラーパネル２５Ｃの略５時位置からソーラーセル５４８の内周に沿った略３時位置までの領域に配置されている。
ソーラーセル５４７は、ソーラーセル５４８の内周側に配置され、ソーラーセル５４８の内周に沿って略３時位置から略１時位置の領域に配置されている。
ソーラーセル５４８は、ソーラーパネル２５Ｃの外周に沿って略１時位置から略４時位置の領域に配置されている。
【００７７】
各ソーラーセル５４１〜５４８は、有効発電面積のばらつきが一定範囲となるように設定している。また、ソーラーセル５４１〜５４８の区画線の一部は、サブダイヤルの植えリングに平面視で重なるように設定されている。
【００７８】
ソーラーセル５４１において、平面アンテナ４０に沿った外縁５４１Ａは、第１側面４１３Ａと略平行な直線状に形成されている。
ソーラーセル５４２において、平面アンテナ４０に沿った外縁５４２Ａは、第１側面４１３Ａと略平行な直線部分と、第４側面４１３Ｄと略平行な直線部分と、各直線部分を繋ぐ湾曲部分とを備えて形成されている。
ソーラーセル５４７において、平面アンテナ４０に沿った外縁５４７Ａは、第２側面４１３Ｂと略平行な直線部分と、第４側面４１３Ｄと略平行な直線部分と、各直線部分を繋ぐ湾曲部分とを備えて形成されている。
ソーラーセル５４８において、平面アンテナ４０に沿った外縁５４８Ａは、第２側面４１３Ｂと略平行な直線状に形成されている。
このため、直列に接続されるソーラーセル５４１およびソーラーセル５４２のアンテナ電極４２の外周に沿った周長、つまり外縁５４１Ａおよび外縁５４２Ａの各周長を加算した寸法と、直列に接続されるソーラーセル５４７およびソーラーセル５４８のアンテナ電極４２の外周に沿った周長、つまり外縁５４７Ａおよび外縁５４８Ａの各周長を加算した寸法とは同じ寸法とされ、平面アンテナ４０の外周長の１／２以下である。
【００７９】
次に、各ソーラーセル５４１〜５４８による二次電池２４の充電経路について説明する。
ソーラーパネル２５Ｃの外周端部には、ソーラーパネル２５と同じく電極端子２７１、２７２が設けられ、各ソーラーセル５４１〜５４８は、電極端子２７１、２７２間に直列に接続されている。
電極端子２７１は、ソーラーセル５４１の金属電極または透明電極の一方の電極に導通され、電極端子２７２は、ソーラーセル５４８の金属電極または透明電極の他方の電極に導通されている。そして、第１実施形態と同じく、電極端子２７１、２７２は、第一導通バネ２８１、第二導通バネ２８２、第２回路基板７２４を介して二次電池２４に導通される。
【００８０】
各ソーラーセル５４１〜５４８は、第１実施形態と同様に、接続部５５１〜５５７によって直列に接続されている。
接続部５５１は、ソーラーセル５４１およびソーラーセル５４２を電気的に直列に接続する。接続部５５２は、ソーラーセル５４２およびソーラーセル５４３を電気的に直列に接続する。接続部５５３は、ソーラーセル５４３およびソーラーセル５４４を電気的に直列に接続する。接続部５５４は、ソーラーセル５４４およびソーラーセル５４５を電気的に直列に接続する。接続部５５５は、ソーラーセル５４５およびソーラーセル５４６を電気的に直列に接続する。接続部５５６は、ソーラーセル５４６およびソーラーセル５４７を電気的に直列に接続する。接続部５５７は、ソーラーセル５４７およびソーラーセル５４８を電気的に直列に接続する。
【００８１】
平面アンテナ４０のアンテナ電極４２の外周に沿って配置される４つのソーラーセル５４１、５４２、５４７、５４８のうち、ソーラーセル５４１およびソーラーセル５２２と、ソーラーセル５２７およびソーラーセル５４８とは、接続部５５１、５５７で互いに直接接続されている。
平面アンテナ４０の第４側面４１３Ｄに沿って配置されるソーラーセル５４２およびソーラーセル５４７は、互いに直接には接続されておらず、アンテナ電極４２の外周に沿って配置されていないソーラーセル５４３、ソーラーセル５４４、ソーラーセル５４５、ソーラーセル５４６を介して直列に接続されている。したがって、ソーラーセル５４２、ソーラーセル５４７によって、第１のソーラーセル、第２のソーラーセルが構成され、各ソーラーセル５４３、５４４、５４５、５４６によって第３のソーラーセルが構成される。
【００８２】
接続部５５４、５５５は、ソーラーパネル２５Ｃの外周に沿って設けられ、ダイヤルリング３２と平面視で重なる位置に配置されている。
接続部５５１、５５２、５５３、５５６、５５７は、時刻を指示する略字やサブダイヤルの植えリングと平面視で重なるように配置されている。
したがって、各接続部５５１〜５５７は、文字板２を視認した際に目立たないように配置されている。
【００８３】
ソーラーパネル２５Ｃを、第１実施形態と同様に、第１仮想直線Ｌ１、第２仮想直線Ｌ２で４つの領域２０１Ａ、２０１Ｂ、２０２Ａ、２０２Ｂに区画した場合、電極端子２７１および第一導通バネ２８１は、第１実施形態と同じく、領域２０２Ａに配置され、電極端子２７２および第二導通バネ２８２は、領域２０２Ｂに配置されている。
【００８４】
このような第３実施形態においても、前記第１実施形態と同様の作用効果を奏することができる。
また、ソーラーパネル２５Ｃでは、ソーラーセル５４１、ソーラーセル５４８を平面アンテナ４０の外周に沿った位置まで延長し、ソーラーセル５４２およびソーラーセル５４７間を、４つのソーラーセル５４３〜５４６を介して直列に接続しているので、平面アンテナ４０での受信を妨害する電流が流れにくくなり、平面アンテナ４０の受信性能を向上できる。
【００８５】
［第４実施形態］
次に、第４実施形態のソーラーパネル２５Ｄについて、図９を参照して説明する。ソーラーパネル２５Ｄは、第１実施形態の電子時計１と同様のサブダイヤルを備える時計に設けられるものである。このため、ソーラーパネル２５Ｄには、ソーラーパネル２５と同じく指針軸が挿通される孔２５３、２５７、２５８、２５９が設けられる。なお、第４実施形態において、第１実施形態と同一または同様の構成には同一符号を付し、説明を省略する。
第４実施形態のソーラーパネル２５Ｄのベース２６Ｄは、第３実施形態のベース２６Ｃと同じく平面アンテナ４０と平面視で重なる部分は切り欠かれておらず、平面アンテナ４０を覆うアンテナ被覆部２６１が形成されている。ベース２６Ｄにおいても、アンテナ被覆部２６１の全体が信号通過部としても機能する。
【００８６】
ベース２６Ｄ上には、ソーラーセル５６１からソーラーセル５６９までの直列に接続された９個のソーラーセルが設けられている。ソーラーセル５６１、ソーラーセル５６２、ソーラーセル５６３、ソーラーセル５６７、ソーラーセル５６８、ソーラーセル５６９の６つのソーラーセルは、ソーラーパネル２５Ｄの外周に沿って配置され、これらのソーラーセルの内周側にソーラーセル５６４、ソーラーセル５６５、ソーラーセル５６６の３つのソーラーセルが配置されている。
ここで、ソーラーパネル２５Ｄの外周側に配置された各ソーラーセル５６１〜５６３、５６７〜５６９は、ソーラーパネル２５Ｄの中心から放射状に設けられた区画線と、ソーラーパネル２５Ｄの中心を中心点とする円弧状に設けられた区画線とで略円環扇形に区画形成されている。ソーラーパネル２５Ｄの内周側に配置された各ソーラーセル５６４〜５６６は、ソーラーパネル２５Ｄの中心から放射状に設けられた区画線と、ソーラーパネル２５Ｄの中心を中心点とする円弧状に設けられた区画線とで略扇形に区画されている。ただし、ソーラーセル５６３、５６４、５６６、５６７は、平面アンテナ４０と平面視で重なる領域に設けられない平面形状とされている。
【００８７】
ソーラーセル５６１は、ソーラーパネル２５Ｄの外周に沿って６時位置から略７．５時位置の領域に配置されている。
ソーラーセル５６２は、ソーラーパネル２５Ｄの外周に沿って略７．５時位置から略９．５時位置の領域に配置されている。
ソーラーセル５６３は、ソーラーパネル２５Ｄの外周に沿って略９．５時位置から略１１時位置の領域に配置されている。
ソーラーセル５６４は、ソーラーセル５６２、５６３の内周側に配置されている。
ソーラーセル５６５は、ソーラーセル５６１、５６９の内周側に配置されている。
ソーラーセル５６６は、ソーラーセル５６７、５６８の内周側に配置されている。
ソーラーセル５６７は、ソーラーパネル２５Ｄの外周に沿って略１時位置から略２．５時位置の領域に配置されている。
ソーラーセル５６８は、ソーラーパネル２５Ｄの外周に沿って略２．５時位置から略４．５時位置の領域に配置されている。
ソーラーセル５６９は、ソーラーパネル２５Ｄの外周に沿って略４．５時位置から６時位置の領域に配置されている。
これらの各ソーラーセル５６１〜５６９は、有効発電面積のばらつきが一定範囲となるように設定している。
【００８８】
ソーラーセル５６３において、平面アンテナ４０に沿った外縁５６３Ａは、第１側面４１３Ａと略平行な直線状に形成されている。
ソーラーセル５６４およびソーラーセル５６６において、平面アンテナ４０に沿った外縁５６４Ａ、５６６Ａは、第４側面４１３Ｄと略平行な直線状に形成されている。
ソーラーセル５６７において、平面アンテナ４０に沿った外縁５６７Ａは、第２側面４１３Ｂと略平行な直線状に形成されている。
このため、直列に接続されるソーラーセル５６３およびソーラーセル５６４のアンテナ電極４２の外周に沿った周長、つまり外縁５６３Ａおよび外縁５６４Ａの各周長を加算した寸法と、直列に接続されるソーラーセル５６６およびソーラーセル５６７のアンテナ電極４２の外周に沿った周長、つまり外縁５６６Ａおよび外縁５６７Ａの各周長を加算した寸法とは同じ寸法とされ、平面アンテナ４０の外周長の１／２以下である。
【００８９】
次に、各ソーラーセル５６１〜５６８による二次電池２４の充電経路について説明する。
ソーラーパネル２５Ｄの外周端部には、ソーラーパネル２５と同じく電極端子２７１、２７２が設けられ、各ソーラーセル５６１〜５６９は、電極端子２７１、２７２間に直列に接続されている。
電極端子２７１は、ソーラーセル５６１の金属電極または透明電極の一方の電極に導通され、電極端子２７２は、ソーラーセル５６９の金属電極または透明電極の他方の電極に導通されている。そして、第１実施形態と同じく、電極端子２７１、２７２は、第一導通バネ２８１、第二導通バネ２８２、第２回路基板７２４を介して二次電池２４に導通される。
【００９０】
各ソーラーセル５６１〜５６９は、第１実施形態と同様に、接続部５７１〜５７８によって直列に接続されている。
接続部５７１は、ソーラーセル５６１およびソーラーセル５６２を電気的に直列に接続する。接続部５７２は、ソーラーセル５６２およびソーラーセル５６３を電気的に直列に接続する。接続部５７３は、ソーラーセル５６３およびソーラーセル５６４を電気的に直列に接続する。接続部５７４は、ソーラーセル５６４およびソーラーセル５６５を電気的に直列に接続する。接続部５７５は、ソーラーセル５６５およびソーラーセル５６６を電気的に直列に接続する。接続部５７６は、ソーラーセル５６６およびソーラーセル５６７を電気的に直列に接続する。接続部５７７は、ソーラーセル５６７およびソーラーセル５６８を電気的に直列に接続する。接続部５７８は、ソーラーセル５６８およびソーラーセル５６９を電気的に直列に接続する。
【００９１】
平面アンテナ４０のアンテナ電極４２の外周に沿って配置される４つのソーラーセル５６３、５６４、５６６、５６７のうち、ソーラーセル５６３およびソーラーセル５６４と、ソーラーセル５６６およびソーラーセル５６７とは、接続部５７３、５７６で互いに直接接続されている。
ソーラーセル５６４およびソーラーセル５６６は、互いに直接には接続されておらず、アンテナ電極４２の外周に沿って配置されていないソーラーセル５６５を介して直列に接続されている。したがって、ソーラーセル５６４、ソーラーセル５６６によって、第１のソーラーセル、第２のソーラーセルが構成され、ソーラーセル５６５によって第３のソーラーセルが構成される。
【００９２】
接続部５７１、５７２、５７７、５７８は、ソーラーパネル２５Ｄの外周に沿って設けられ、ダイヤルリング３２と平面視で重なる位置に配置されている。
接続部５７３、５７６は、孔２５７、２５８に挿入される指針軸に取り付けられる指針と平面視で重なる位置に配置されている。
接続部５７４、５７５は、サブダイヤルの植えリングと平面視で重なるように配置されている。
したがって、各接続部５７１〜５７８は、文字板２を視認した際に目立たないように配置されている。
【００９３】
ソーラーパネル２５Ｄを、第１実施形態と同様に、第１仮想直線Ｌ１、第２仮想直線Ｌ２で４つの領域２０１Ａ、２０１Ｂ、２０２Ａ、２０２Ｂに区画した場合、電極端子２７１および第一導通バネ２８１は、第１実施形態と同じく、領域２０２Ａに配置され、電極端子２７２および第二導通バネ２８２は、領域２０２Ｂに配置されている。
【００９４】
このような第４実施形態においても、前記第１実施形態と同様の作用効果を奏することができる。
また、ソーラーパネル２５Ｄでは、９個のソーラーセル５６１〜５６９を直列に接続しているので、８個のソーラーセルを直列接続している前記各実施形態のソーラーパネル２５、２５Ｂ、２５Ｃに比べて発電電圧を高めることができる。
【００９５】
［第５実施形態］
次に、第５実施形態のソーラーパネル２５Ｅについて、図１０を参照して説明する。ソーラーパネル２５Ｅは、第１実施形態の電子時計１と同様のサブダイヤルを備える時計に設けられるものである。このため、ソーラーパネル２５Ｅには、ソーラーパネル２５と同じく指針軸が挿通される孔２５３、２５７、２５８、２５９が設けられる。なお、第５実施形態において、第１実施形態と同一または同様の構成には同一符号を付し、説明を省略する。
第５実施形態のソーラーパネル２５Ｅのベース２６Ｅは、第３実施形態のベース２６Ｃと同じく平面アンテナ４０と平面視で重なる部分は切り欠かれておらず、平面アンテナ４０を覆うアンテナ被覆部２６１が形成されている。ベース２６Ｅにおいても、アンテナ被覆部２６１の全体が信号通過部としても機能する。
【００９６】
ベース２６Ｅ上には、ソーラーセル５８１からソーラーセル５８７までの直列に接続された７個のソーラーセルが設けられている。ソーラーセル５８１、ソーラーセル５８２、ソーラーセル５８４、ソーラーセル５８６、ソーラーセル５８７の５つのソーラーセルは、ソーラーパネル２５Ｅの外周に沿って配置され、これらのソーラーセルの内周側にソーラーセル５８３、ソーラーセル５８５の２つのソーラーセルが配置されている。
ここで、ソーラーパネル２５Ｅの外周側に配置された各ソーラーセル５８１、５８２、５８４、５８６、５８７は、ソーラーパネル２５Ｅの中心から放射状に設けられた区画線と、ソーラーパネル２５Ｅの中心を中心点とする円弧状に設けられた区画線とで略円環扇形に区画形成されている。ソーラーパネル２５Ｅの内周側に配置された各ソーラーセル５８３、５８５は、第１仮想直線Ｌ１に沿って設けられた区画線と、ソーラーパネル２５Ｅの中心を中心点とする円弧状に設けられた区画線とで略扇形に区画されている。ただし、ソーラーセル５８２、５８３、５８５、５８６は、平面アンテナ４０と平面視で重なる領域に設けられない平面形状とされている。
【００９７】
ソーラーセル５８１は、ソーラーパネル２５Ｅの外周に沿って略７時位置から略９時位置の領域に配置されている。
ソーラーセル５８２は、ソーラーパネル２５Ｅの外周に沿って略９時位置から略１１時位置の領域に配置されている。
ソーラーセル５８３は、ソーラーセル５８１、５８２、５８４の内周側に配置され、第１仮想直線Ｌ１の９時側、つまり図１０において左半分の領域に配置されている。
ソーラーセル５８４は、ソーラーパネル２５Ｅの外周に沿って略５．５時位置から略７時位置の領域に配置されている。
ソーラーセル５８５は、ソーラーセル５８４、５８６、５８７の内周側に配置され、第１仮想直線Ｌ１の３時側、つまり図１０において右半分の領域に配置されている。
ソーラーセル５８６は、ソーラーパネル２５Ｅの外周に沿って略１時位置から略４時位置の領域に配置されている。
ソーラーセル５８７は、ソーラーパネル２５Ｅの外周に沿って略４時位置から略５．５時位置の領域に配置されている。
これらの各ソーラーセル５８１〜５８７は、有効発電面積のばらつきが一定範囲となるように設定している。
【００９８】
ソーラーセル５８２において、平面アンテナ４０に沿った外縁５８２Ａは、第１側面４１３Ａと略平行な直線状に形成されている。
ソーラーセル５８３およびソーラーセル５８５において、平面アンテナ４０に沿った外縁５８３Ａ、５８５Ａは、第４側面４１３Ｄと略平行な直線状に形成されている。
ソーラーセル５８６において、平面アンテナ４０に沿った外縁５８６Ａは、第２側面４１３Ｂと略平行な直線状に形成されている。
このため、直列に接続されるソーラーセル５８２およびソーラーセル５８３のアンテナ電極４２の外周に沿った周長、つまり外縁５８２Ａおよび外縁５８３Ａの各周長を加算した寸法と、直列に接続されるソーラーセル５８５およびソーラーセル５８６のアンテナ電極４２の外周に沿った周長、つまり外縁５８５Ａおよび外縁５８６Ａの各周長を加算した寸法とは同じ寸法とされ、平面アンテナ４０の外周長の１／２以下である。
【００９９】
次に、各ソーラーセル５８１〜５８７による二次電池２４の充電経路について説明する。
ソーラーパネル２５Ｅの外周端部には、ソーラーパネル２５と同じく電極端子２７１、２７２が設けられ、各ソーラーセル５８１〜５８７は、電極端子２７１、２７２間に直列に接続されている。
電極端子２７１は、ソーラーセル５８１の金属電極または透明電極の一方の電極に導通され、電極端子２７２は、ソーラーセル５８７の金属電極または透明電極の他方の電極に導通されている。そして、第１実施形態と同じく、電極端子２７１、２７２は、第一導通バネ２８１、第二導通バネ２８２、第２回路基板７２４を介して二次電池２４に導通される。
【０１００】
各ソーラーセル５８１〜５８７は、第１実施形態と同様に、接続部５９１〜５９６によって直列に接続されている。
接続部５９１は、ソーラーセル５８１およびソーラーセル５８２を電気的に直列に接続する。接続部５９２は、ソーラーセル５８２およびソーラーセル５８３を電気的に直列に接続する。接続部５９３は、ソーラーセル５８３およびソーラーセル５８４を電気的に直列に接続する。接続部５９４は、ソーラーセル５８４およびソーラーセル５８５を電気的に直列に接続する。接続部５９５は、ソーラーセル５８５およびソーラーセル５８６を電気的に直列に接続する。接続部５９６は、ソーラーセル５８６およびソーラーセル５８７を電気的に直列に接続する。
【０１０１】
平面アンテナ４０のアンテナ電極４２の外周に沿って配置される４つのソーラーセル５８２、５８３、５８５、５８６のうち、ソーラーセル５８２およびソーラーセル５８３と、ソーラーセル５８５およびソーラーセル５８６とは、接続部５９２、５９５で互いに直接接続されている。
ソーラーセル５８３およびソーラーセル５８５は、互いに直接には接続されておらず、アンテナ電極４２の外周に沿って配置されていないソーラーセル５８４を介して直列に接続されている。したがって、ソーラーセル５８３、ソーラーセル５８５によって、第１のソーラーセル、第２のソーラーセルが構成され、ソーラーセル５８４によって第３のソーラーセルが構成される。
【０１０２】
接続部５９１、５９６は、ソーラーパネル２５Ｅの外周に沿って設けられ、ダイヤルリング３２と平面視で重なる位置に配置されている。
接続部５９２、５９５は、孔２５７、２５８に挿入される指針軸に取り付けられる指針と平面視で重なる位置に配置されている。
接続部５９３、５９４は、孔２５９に挿入される指針軸に取り付けられる指針や、サブダイヤルの植えリングと平面視で重なるように配置されている。
したがって、各接続部５９１〜５９６は、文字板２を視認した際に目立たないように配置されている。
【０１０３】
ソーラーパネル２５Ｅを、第１実施形態と同様に、第１仮想直線Ｌ１、第２仮想直線Ｌ２で４つの領域２０１Ａ、２０１Ｂ、２０２Ａ、２０２Ｂに区画した場合、電極端子２７１および第一導通バネ２８１は、第１実施形態と同じく、領域２０２Ａに配置され、電極端子２７２および第二導通バネ２８２は、領域２０２Ｂに配置されている。
【０１０４】
このような第５実施形態においても、前記第１実施形態と同様の作用効果を奏することができる。
また、ソーラーパネル２５Ｄでは、７個のソーラーセル５８１〜５８７を直列に接続しているので、８個や９個のソーラーセルを直列接続している前記各実施形態のソーラーパネル２５、２５Ｂ、２５Ｃ、２５Ｄに比べてソーラーセルの平均的な有効発電面積を大きくでき、直列に接続されるソーラーセル５８１〜５８７における最小面積のソーラーセルの有効発電面積を大きくできるので、発電電力量を高めることができる。
【０１０５】
［第６実施形態］
次に、第６実施形態のソーラーパネル２５Ｆについて、図１１を参照して説明する。ソーラーパネル２５Ｆは、第１実施形態の電子時計１と同様にサブダイヤルを備える時計に設けられるものである。このため、ソーラーパネル２５Ｆには、ソーラーパネル２５と同じく指針軸が挿通される孔２５３、２５７、２５８、２５９が設けられる。なお、第５実施形態において、第１実施形態と同一または同様の構成には同一符号を付し、説明を省略する。
第６実施形態のソーラーパネル２５Ｆのベース２６Ｆは、第３実施形態のベース２６Ｃと同じく平面アンテナ４０と平面視で重なる部分は切り欠かれておらず、平面アンテナ４０を覆うアンテナ被覆部２６１が形成されている。ベース２６Ｆにおいても、アンテナ被覆部２６１の全体が信号通過部としても機能する。
【０１０６】
ベース２６Ｆ上には、ソーラーセル６０１からソーラーセル６０８までの直列に接続された８個のソーラーセルが設けられている。ソーラーセル６０１、ソーラーセル６０２、ソーラーセル６０７、ソーラーセル６０８の４つのソーラーセルは、ソーラーパネル２５Ｆの外周に沿って配置され、これらの４つのソーラーセルの内周側にソーラーセル６０３、ソーラーセル６０５、ソーラーセル６０６の３つのソーラーセルが配置され、これらの３つのソーラーセルの内周側にソーラーセル６０４が配置されている。
ここで、ソーラーパネル２５Ｆの最外周に配置された４つのソーラーセル６０１、６０２、６０７、６０８は、第１仮想直線Ｌ１、第２仮想直線Ｌ２に沿った区画線と、ソーラーパネル２５Ｆの中心を中心点とする円弧状に設けられた区画線とで略円環扇形に区画形成されている。ソーラーパネル２５Ｆの外周から２番目に配置された３つのソーラーセル６０３、６０５、６０６は、ソーラーパネル２５Ｆの中心から放射線状に設けられた区画線と、前記中心を中心点とする円弧状に設けられた区画線とで略円環扇形に区画形成されている。ソーラーパネル２５Ｆの最内周に設けられたソーラーセル６０４は、孔２５３の周囲に略円環状に形成されている。
ただし、ソーラーセル６０２、６０３、６０４、６０６、６０７は、平面アンテナ４０と平面視で重なる領域に設けられない平面形状とされている。
【０１０７】
ソーラーセル６０１は、ソーラーパネル２５Ｆの外周に沿って、６時位置から９時位置の領域に配置されている。
ソーラーセル６０２は、ソーラーパネル２５Ｆの外周に沿って、９時位置から略１１時位置の領域に配置されている。
ソーラーセル６０３は、ソーラーセル６０１、６０２の内周に沿って、略８時位置から略１１時位置の領域に配置されている。
ソーラーセル６０４は、ソーラーセル６０３、６０５、６０６の内周に配置されている。
ソーラーセル６０５は、ソーラーセル６０１、６０８の内周に沿って、略４時位置から略８時位置の領域に配置されている。
ソーラーセル６０６は、ソーラーセル６０７、６０８の内周に沿って、略１時位置から略４時位置の領域に配置されている。
ソーラーセル６０７は、ソーラーパネル２５Ｆの外周に沿って、略１時位置から３時位置の領域に配置されている。
ソーラーセル６０８は、ソーラーパネル２５Ｆの外周に沿って、３時位置から６時位置の領域に配置されている。
これらの各ソーラーセル６０１〜６０８は、有効発電面積のばらつきが一定範囲となるように設定している。
【０１０８】
ソーラーセル６０２において、平面アンテナ４０に沿った外縁６０２Ａは、第１側面４１３Ａと略平行な直線状に形成されている。
ソーラーセル６０３において、平面アンテナ４０に沿った外縁６０３Ａは、第１側面４１３Ａと略平行な直線部分と、第４側面４１３Ｄと略平行な直線部分と、各直線部分を繋ぐ湾曲部分とを備えて形成されている。
ソーラーセル６０４において、平面アンテナ４０に沿った外縁６０４Ａは、第４側面４１３Ｄと略平行な直線状に形成されている。
ソーラーセル６０６において、平面アンテナ４０に沿った外縁６０６Ａは、第２側面４１３Ｂと略平行な直線部分と、第４側面４１３Ｄと略平行な直線部分と、各直線部分を繋ぐ湾曲部分とを備えて形成されている。
ソーラーセル６０７において、平面アンテナ４０に沿った外縁６０７Ａは、第２側面４１３Ｂと略平行な直線状に形成されている。
このため、直列に接続されるソーラーセル６０２、ソーラーセル６０３、ソーラーセル６０４のアンテナ電極４２の外周に沿った周長、つまり外縁６０２Ａ、６０３Ａ、６０４Ａの各周長を加算した寸法は、平面アンテナ４０の外周長の１／２以下である。同様に、直列に接続されるソーラーセル６０６およびソーラーセル６０７のアンテナ電極４２の外周に沿った周長、つまり外縁６０６Ａおよび外縁６０７Ａの各周長を加算した寸法も、平面アンテナ４０の外周長の１／２以下である。
【０１０９】
次に、各ソーラーセル６０１〜６０８による二次電池２４の充電経路について説明する。
ソーラーパネル２５Ｆの外周端部には、ソーラーパネル２５と同じく電極端子２７１、２７２が設けられ、各ソーラーセル６０１〜６０８は、電極端子２７１、２７２間に直列に接続されている。
電極端子２７１は、ソーラーセル６０１の金属電極または透明電極の一方の電極に導通され、電極端子２７２は、ソーラーセル６０８の金属電極または透明電極の他方の電極に導通されている。そして、第１実施形態と同じく、電極端子２７１、２７２は、第一導通バネ２８１、第二導通バネ２８２、第２回路基板７２４を介して二次電池２４に導通される。
【０１１０】
各ソーラーセル６０１〜６０８は、第１実施形態と同様に、接続部６１１〜６１７によって直列に接続されている。
接続部６１１は、ソーラーセル６０１およびソーラーセル６０２を電気的に直列に接続する。接続部６１２は、ソーラーセル６０２およびソーラーセル６０３を電気的に直列に接続する。接続部６１３は、ソーラーセル６０３およびソーラーセル６０４を電気的に直列に接続する。接続部６１４は、ソーラーセル６０４およびソーラーセル６０５を電気的に直列に接続する。接続部６１５は、ソーラーセル６０５およびソーラーセル６０６を電気的に直列に接続する。接続部６１６は、ソーラーセル６０６およびソーラーセル６０７を電気的に直列に接続する。接続部６１７は、ソーラーセル６０７およびソーラーセル６０８を電気的に直列に接続する。
【０１１１】
平面アンテナ４０のアンテナ電極４２の外周に沿って配置される５つのソーラーセル６０２、６０３、６０４、６０６、６０７のうち、ソーラーセル６０２、ソーラーセル６０３、ソーラーセル６０４は、接続部６１２、６１３で順次直列に接続されている。また、ソーラーセル６０６およびソーラーセル６０７は、接続部６１６で互いに直接接続されている。
ソーラーセル６０４およびソーラーセル６０６は、互いに直接には接続されておらず、アンテナ電極４２の外周に沿って配置されていないソーラーセル６０５を介して直列に接続されている。したがって、ソーラーセル６０４、ソーラーセル６０６によって、第１のソーラーセル、第２のソーラーセルが構成され、ソーラーセル６０５によって第３のソーラーセルが構成される。
【０１１２】
接続部６１１、６１７は、ソーラーパネル２５Ｆの外周に沿って設けられ、ダイヤルリング３２と平面視で重なる位置に配置されている。
接続部６１２、６１６は、孔２５７、２５８に挿入される指針軸に取り付けられる指針と平面視で重なる位置に配置されている。
したがって、各接続部６１１、６１２、６１６、６１７は、文字板２を視認した際に目立たないように配置されている。
【０１１３】
ソーラーパネル２５Ｆを、第１実施形態と同様に、第１仮想直線Ｌ１、第２仮想直線Ｌ２で４つの領域２０１Ａ、２０１Ｂ、２０２Ａ、２０２Ｂに区画した場合、電極端子２７１および第一導通バネ２８１は、第１実施形態と同じく、領域２０２Ａに配置され、電極端子２７２および第二導通バネ２８２は、領域２０２Ｂに配置されている。
【０１１４】
このような第６実施形態においても、前記第１実施形態と同様の作用効果を奏することができる。
また、ソーラーパネル２５Ｆでは、孔２５３の周囲をソーラーセル６０４が囲んでおり、ソーラーセルの区画線が無いため、ソーラーパネル２５Ｆの意匠性を向上できる。
さらに、最外周のソーラーセル６０１、６０２、６０７、６０８の区画線と、外周から２番目のソーラーセル６０３、６０５、６０６の区画線とが、ソーラーパネル２５Ｆの径方向に連続していないので、区画線が目立ちにくくなり、ソーラーパネル２５Ｆの意匠性を向上できる。
【０１１５】
［他の実施形態］
なお、本発明は前記各実施形態に限定されず、本発明の要旨の範囲内で種々の変形実施が可能である。
前記各実施形態では、平面アンテナ４０と平面視で重なる領域であるアンテナ被覆部２６１には、ソーラーセルを配置していないが、図１２に示すように、平面アンテナ４０と平面視で重なるようにソーラーセルを配置してもよい。なお、図１２に示すソーラーパネル２５Ｇは、図７に示すソーラーパネル２５Ｂをベースにし、ソーラーセル５２７Ｇのみが異なるものである。このため、ソーラーパネル２５Ｇにおいて、ソーラーパネル２５Ｂと同一または同様の構成については、同一符号を付して説明を省略する。
ソーラーセル５２７Ｇは、セル本体部５２７１と、平面アンテナ４０と平面視で重なる領域に形成された拡張部５２７２と、セル本体部５２７１および拡張部５２７２を連結する連結部５２７３とを備えて形成されている。
セル本体部５２７１は、ソーラーパネル２５Ｂのソーラーセル５２７と同じく、略１時位置から３時位置まで円環扇形に形成されている。拡張部５２７２は、平面アンテナ４０と平面視で重なり、かつ、平面アンテナ４０よりも一回り小さいサイズで形成されている。このため、拡張部５２７２と、ソーラーセル５２２の外縁５２２Ａ、ソーラーセル５２３の外縁５２３Ａ、ソーラーセル５２６の外縁５２６Ａ、外縁５２７Ａとの間には、セルが形成されていない信号通過部２８が形成されている。
信号通過部２８は、アンテナ電極４２の縁に平面視で重なるように形成されている。図５に示すように、平面アンテナ４０ではアンテナ電極４２の縁に沿って電界が強くなるため、アンテナ電極４２の縁に沿った部分に重なって、ソーラーセルのような金属層が配置されると電波が遮断されて受信性能が著しく低下する。一方で、アンテナ電極４２の縁の内側の領域、つまりアンテナ電極４２の中心側にソーラーセル５２７の拡張部５２７２を配置しても、受信性能への影響は小さい。このため、信号通過部２８が形成されるように拡張部５２７２を設けることで、平面アンテナ４０の受信性能に対する影響を抑制しつつ、ソーラーセルの有効発電面積を広くできる。また、連結部５２７３はアンテナ電極４２の縁に重なっているが、その幅寸法つまり外縁５２７Ａに沿った方向の寸法は短いため、受信性能の影響も小さくできる。
また、他のソーラーパネル２５、２５Ｃ、２５Ｄ、２５Ｅ、２５Ｆにおいても、ソーラーパネル２５Ｇと同様に、信号通過部を設けた上で、平面アンテナ４０に平面視で重なる位置にソーラーセルを配置してもよい。
また、ソーラーパネル２５Ｇでは、平面アンテナ４０と平面視で重なる領域に、ソーラーセル５２７の一部を形成していたが、ソーラーセル５２２、ソーラーセル５２３、ソーラーセル５２６の一部を形成してもよい。さらに、平面アンテナ４０と平面視で重なる領域に、ソーラーセル５２２およびソーラーセル５２７のそれぞれの一部を形成してもよい。
【０１１６】
外装ケース１０内における平面アンテナ４０の配置位置は、文字板２の中心に対して１２時方向側に限定されず、６時方向側つまり平面アンテナ４０の中心位置が外装ケース１０の平面中心に対して５時方向から７時方向までの角度範囲内でもよい。さらに、平面アンテナ４０の配置位置は、文字板２の中心に対して３時方向側（平面アンテナ４０の中心位置が２時方向から４時方向の角度範囲内）や、９時方向側（平面アンテナ４０の中心位置が８時方向から１０時方向の角度範囲内）でもよい。
【０１１７】
平面アンテナ４０や回路基板７２３、７２４の構成は、前記実施形態に限定されない。例えば、平面アンテナ４０としては、誘電体基材４１の表面に積層されるアンテナ電極４２を、平面アンテナ４０よりも時計表面側に配置される金属部品から離れる方向にずらして形成してもよい。
【０１１８】
ソーラーパネル２５Ｂ、２５Ｃ、２５Ｄ、２５Ｅ、２５Ｆ、２５Ｇは、ソーラーパネル２５と同様に、平面アンテナ４０と平面視で重なる部分に切欠部２５１が形成されてアンテナ被覆部を備えないものでもよい。
さらに、ソーラーパネルにおけるソーラーセルの形状や配置は、前記各実施形態に限定されず、アンテナ電極４２の外周に沿って連続して配置される第１および第２のソーラーセルと、アンテナ電極４２の外周との間に第１または第２のソーラーセルの少なくとも一方のソーラーセルが位置するように配置される第３のソーラーセルとを有し、第１のソーラーセルが第３のソーラーセルを介して、第２のソーラーセルに直列に接続される構成であればよい。
前記各実施形態では、アンテナ電極４２に沿って４つまたは５つのソーラーセルを配置していたが、２つまたは３つのソーラーセルを配置してもよいし、６つ以上のソーラーセルを配置してもよい。
【０１１９】
前記実施形態では、各ソーラーセルの接続部を、植え字、略字、植えリング、ダイヤルリング、指針の軸のいずれかと前記平面視で重なる位置に配置していたが、この位置への配置に限定されない。なお、接続部を被覆する部品が設けられない場合は、接続部が目立たないように、文字板２の接続部と重なる位置に印刷などを施して接続部が目立たないようにしてもよい。
【０１２０】
位置情報衛星の例として、ＧＰＳ衛星について説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
平面アンテナ４０としては、前述のパッチアンテナに限定されず、チップアンテナや逆Ｆアンテナなどの他の種類の平面アンテナでもよく、受信する信号の種類に応じて適切な平面アンテナを用いればよい。さらに、平面アンテナ４０の平面形状、つまりアンテナの平面視の形状は四角形に限定されず、円形でもよい。
アンテナの用途は、衛星信号の受信用に限定されず、Wi-Fi（登録商標）、ＢＬＥ（Bluetooth（登録商標） Low Energy）、LPWA(Low Power Wide Area)等の信号の受信用でもよい。
【符号の説明】
【０１２１】
１…電子時計、１０…外装ケース、２…文字板、２Ｂ…日窓、２Ｃ…貫通孔、３…指針、３Ａ…指針軸、３Ｂ…秒針、３Ｃ…分針、３Ｄ…時針、４Ｂ…指針軸、４Ｃ…指針軸、４Ｄ…指針軸、５…日車、２０…ムーブメント、２１…地板、２２…駆動体、２４…二次電池、２５…ソーラーパネル、２５１…切欠部、２５２…開口、２５３、２５、２５、２５９、２６０…孔、２５Ｂ、２５Ｃ、２５Ｄ、２５Ｅ、２５Ｆ、２５Ｇ…ソーラーパネル、２６、２６Ｂ、２６Ｃ、２６Ｄ、２６Ｅ、２６Ｆ…ベース、２６１…アンテナ被覆部、２７１、２７２…電極端子、２８…信号通過部、２８１…第一導通バネ、２８２…第二導通バネ、３１…カバーガラス、３２…ダイヤルリング、４０…平面アンテナ、４１…誘電体基材、４１１…表面、４１２…裏面、４１３Ａ…第１側面、４１３Ｂ…第２側面、４１３Ｃ…第３側面、４１３Ｄ…第４側面、４２…アンテナ電極、４３…ＧＮＤ電極、４４…給電電極、４５…縮退分離素子部、４７…緩衝材、５０１…ソーラーセル、５０２…ソーラーセル、５０２Ａ…外縁、５０３…ソーラーセル、５０３Ａ…外縁、５０４…ソーラーセル、５０５…ソーラーセル、５０６…ソーラーセル、５０６Ａ…外縁、５０７…ソーラーセル、５０７Ａ…外縁、５０８…ソーラーセル、５１１、５１２、５１３、５１４、５１５、５１６、５１７…接続部、５２１…ソーラーセル、５２２…ソーラーセル、５２２Ａ…外縁、５２３…ソーラーセル、５２３Ａ…外縁、５２４…ソーラーセル、５２５…ソーラーセル、５２６…ソーラーセル、５２６Ａ…外縁、５２７…ソーラーセル、５２７１…セル本体部、５２７２…拡張部、５２７３…連結部、５２７Ａ…外縁、５２７Ｇ…ソーラーセル、５２８…ソーラーセル、５３１、５３２、５３３、５３４、５３５、５３６、５３７…接続部、５４１…ソーラーセル、５４１Ａ…外縁、５４２…ソーラーセル、５４２Ａ…外縁、５４３…ソーラーセル、５４４…ソーラーセル、５４５…ソーラーセル、５４６…ソーラーセル、５４７…ソーラーセル、５４７Ａ…外縁、５４８…ソーラーセル、５４８Ａ…外縁、５５１、５５２、５５３、５５４、５５５、５５６、５５７…接続部、５６１…ソーラーセル、５６２…ソーラーセル、５６３…ソーラーセル、５６３Ａ…外縁、５６４…ソーラーセル、５６４Ａ…外縁、５６５…ソーラーセル、５６６…ソーラーセル、５６６Ａ…外縁、５６７…ソーラーセル、５６７Ａ…外縁、５６８…ソーラーセル、５６９…ソーラーセル、５７１、５７２、５７３、５７４、５７５、５７６、５７７、５７８…接続部、５８１…ソーラーセル、５８２…ソーラーセル、５８２Ａ…外縁、５８３…ソーラーセル、５８３Ａ…外縁、５８４…ソーラーセル、５８５…ソーラーセル、５８５Ａ…外縁、５８６…ソーラーセル、５８６Ａ…外縁、５８７…ソーラーセル、５９１、５９２、５９３、５９４、５９５、５９６…接続部、６０１…ソーラーセル、６０２…ソーラーセル、６０２Ａ…外縁、６０３…ソーラーセル、６０３Ａ…外縁、６０４…ソーラーセル、６０４Ａ…外縁、６０５…ソーラーセル、６０６…ソーラーセル、６０６Ａ…外縁、６０７…ソーラーセル、６０７Ａ…外縁、６０８…ソーラーセル、６１１、６１２、６１３、６１４、６１５、６１６、６１７…接続部、７２３…第１回路基板、７２４…第２回路基板、７２５…回路押え板、７４１…充電用端子、７４２…充電用端子、７７０…第１小窓、７７１…指針、７８０…第２小窓、７８１…指針、７９０…第３小窓、７９１…指針、９１…第１耐磁板、９２…第２耐磁板。
【図１】
2020098144.tif 000003
【図２】
2020098144.tif 000004
【図３】
2020098144.tif 000005
【図４】
2020098144.tif 000006
【図５】
2020098144.tif 000007
【図６】
2020098144.tif 000008
【図７】
2020098144.tif 000009
【図８】
2020098144.tif 000010
【図９】
2020098144.tif 000011
【図１０】
2020098144.tif 000012
【図１１】
2020098144.tif 000013
【図１２】
2020098144.tif 000014